(57)【要約】多層記録型の情報記録媒体において、ガイド層にあるシングルスパイラルのトラック上で内周側から外周側へ向う及び外周側から内周側へ向うトラッキング制御の両者を可能ならしめる。情報記録媒体（１１）は、予めシングルスパイラルのトラック（ＴＲ）が形成されたガイド層（１２）と、ガイド層上に積層された複数の記録層（１３）とを備える。ガイド層は、(i)トラックが周回を重ねる毎に外周側及び内周側の一方側へ所定ペースで変位するようにスパイラルされている主要エリア及び（ii）トラックが局所的に、トラック１周分だけ外周側及び内周側の他方側へ導くために、所定ペースよりも急峻なペースで径方向に変位するように形成されている切替エリア（ＳＷＲ１、ＳＷＲ２）を有する。
2011158379.tif 000002
【特許請求の範囲】
【請求項１】
予めシングルスパイラルのトラックが形成されたガイド層と、
該ガイド層上に積層された複数の記録層と
を備え、
前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために前記所定ペースよりも急峻なペースで前記径方向に変位するように形成されている切替エリアを有する
ことを特徴とする情報記録媒体。
【請求項２】
前記切替エリアは、前記ガイド層の面内において同一位相側の領域にまとまって配置されていることを特徴とする請求項１に記載の情報記録媒体。
【請求項３】
前記トラックは、ランド／グルーブ方式のランドトラック及びグルーブトラックを有し、
前記主要エリアには、前記ランドトラック及びグルーブトラックが周回毎に交互に存在しており、
前記切替エリアは、前記ランドトラックと前記グルーブトラックとが周回毎に前記切替エリアを介して前記トラックとして連続している第１切替エリアと、前記ランドトラックと前記ランドトラックとが一の周回で前記切替エリアを介して前記トラックとして連続していると共に前記グルーブトラックと前記グルーブトラックとが前記一の周回に隣接する他の周回で前記切替エリアを介して前記トラックとして連続している第２切替エリアとを含む
ことを特徴とする請求項１に記載の情報記録媒体。
【請求項４】
前記第１切替エリアは、前記ガイド層の面内において一の同一位相側の領域にまとまって配置されており、
前記第２切替エリアは、前記ガイド層の面内において前記一の同一位相に対向する他の同一位相側の領域にまとまって配置されている
ことを特徴とする請求項３に記載の情報記録媒体。
【請求項５】
前記ガイド層は、記録方向を基準として前記切替エリアの前側に配置されており、前記切替エリアが次に開始する旨を示す開始告知エリアを更に備える
ことを特徴とする請求項１に記載の情報記録媒体。
【請求項６】
前記切替エリアは、グルーブ構造、ランド構造又はピット構造を有することを特徴とする請求項１に記載の情報記録媒体。
【請求項７】
前記ガイド層は、記録方向を基準として前記切替エリアの後側に配置されており、前記切替エリアが終了した旨を示す終了告知エリアを更に備える
ことを特徴とする請求項１に記載の情報記録媒体。
【請求項８】
前記切替エリアは、前記切替エリアの前記トラック方向の長さと、前記複数の記録層に夫々記録されることになるデータのフォーマットの構成単位の前記トラック方向の長さとが、所定の整数比となるように、形成されていることを特徴とする請求項１に記載の情報記録媒体。
【請求項９】
前記主要エリアには、記録方向が前記一方側へ向う第１アドレス情報及び前記他方側へ向う第２アドレス情報が、プリフォーマット情報として埋め込まれている
ことを特徴とする請求項１に記載の情報記録媒体。
【請求項１０】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する情報記録媒体を製造する製造方法であって、
前記主要エリアに対して、ＥＯ変調するようにＥＯ変調器を制御することで、前記トラックを形成する第１制御工程と、
前記切替エリアに対して、前記トラックのピッチの±１／２で変位させるＡＯ偏向を行うようにＡＯ偏向器を制御すると共にＥＯ変調するようにＥＯ変調器を制御することで、前記トラックを形成する第２制御工程と
を備えることを特徴とする情報記録媒体の製造方法。
【請求項１１】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、
前記トラッキングサーボがかけられている際に、前記一の記録層に前記第２光ビームを照射し且つ集光することで、前記データを記録するように前記光照射手段を制御するデータ記録制御手段と
を備え、
前記トラッキングサーボ手段は、
前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報記録装置。
【請求項１２】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、
前記トラッキングサーボがかけられている際に、前記一の記録層に前記第２光ビームを照射し且つ集光することで、前記データを記録するように前記光照射手段を制御するデータ記録制御工程と
を備え、
前記トラッキングサーボ工程は、
前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報記録方法。
【請求項１３】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する情報記録媒体から、データを再生する情報再生装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、
前記トラッキングサーボがかけられている際に、前記一の記録層からの前記照射され且つ集光された第２光ビームに基づく第２光を受光し、該受光された第２光に基づき前記データを取得するデータ取得手段と
を備え、
前記トラッキングサーボ手段は、
前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報再生装置。
【請求項１４】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、１周分だけ前記外周側及び前記内周側の他方側へ導くために、前記所定ペースよりも急峻なペースで前記径方向に変位するように形成されている切替エリアを有する情報記録媒体から、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、
前記トラッキングサーボがかけられている際に、前記一の記録層からの前記照射され且つ集光された第２光ビームに基づく第２光を受光し、該受光された第２光に基づき前記データを取得するデータ取得工程と
を備え、
前記トラッキングサーボ工程は、
前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報再生方法。
【発明の詳細な説明】
【技術分野】
【０００１】
本発明は、例えば多層型或いは多層記録型の光ディスク等の情報記録媒体及びその製造方法、該情報記録媒体に情報を記録する記録装置及び方法、並びに該情報記録媒体から情報を再生する情報再生装置及び方法の技術分野に関する。
【背景技術】
【０００２】
この種の情報記録媒体では、予めトラックが形成された単一のガイド層上に、複数或いは多数の記録層が重ねて形成されており、ガイド層を用いて記録層における記録や再生が行われる（例えば、特許文献１から３参照）。【０００３】
具体的には、その記録時や再生時には、トラッキング用の第１光ビーム（例えばＤＶＤと同じく赤色レーザからなるガイド光ビーム或いはサーボ光ビーム）が照射され、記録層を介してガイド層に集光される。これにより、各記録層に対するトラッキングが可能となる。即ち、ガイド層に対するフォーカスサーボ及びガイド層に予め形成されたトラックを用いてのトラッキングサーボが可能となる。【０００４】
このようなトラッキング動作と並行して、同一の光ピックアップを用いる或いは同一の対物レンズを介するなど、第１ビームとの位置関係が固定されている若しくは既知である情報記録再生用の第２ビーム（例えば、ブルーレイと同じく青色レーザからなるメイン光ビーム）が、典型的には第１ビームに同心的に重ねられた形で照射され、記録又は再生対象となっている一の記録層に集光される。これにより、各記録層における情報の記録や再生が可能となる。即ち、各記録層に対するフォーカスサーボ及び情報の書込若しくは読取が可能となる。【０００５】
また、内周側から外周側へ向うガイド用のトラックと外周側から内周側へ向うガイド用のトラックとを単一のガイド層に記録する技術がある（特許文献４参照）。複数の記録層に、ガイド用のトラックとして右螺旋トラックと左螺旋トラックとを交互に、予め作成しておく技術もある（特許文献５参照）。
【先行技術文献】
【特許文献】
【０００６】
【特許文献１】特開平４−３０１２２６号公報
【特許文献２】特開２００３−６７９３９号公報
【特許文献３】国際公開ＷＯ２００９／０３７７７３号公報
【特許文献４】特開第４２４５７６５号公報
【特許文献５】特許第３８４１４６８号公報
【発明の概要】
【発明が解決しようとする課題】
【０００７】
しかしながら、特許文献に開示された技術では、ガイド層を照射する第１ビームと記録層を照射する第２ビームのディスク上の各ビーム径が異なり、ガイド層に比べ記録層が、「高密度記録」となる場合、ガイド層のトラッキング精度は、相対的に大径である第１ビーム径から算出されるトラックピッチで制御され、それに基づいて記録層のトラッキングが行われる。このため、相対的に小径である第２ビーム径から算出され得るトラッキング精度より粗くなり、ついては高密度記録により隣接トラックからのクロストーク等の増加により特性劣化を招く。【０００８】
特に、内周側から外周側へ向うトラックと外周側から内周側へ向うトラックとを単一のガイド層に予め形成する場合、その製造時に、ディスク面内の位相ごとに制御が必要となり、複雑度が増す。更に、トラックを形成するために２回の記録工程が必要となってしまうという技術的問題点がある。これは１回の記録工程でトラックを記録可能な場合と比べて製造コストの増大につながる。【０００９】
或いは、複数の記録層に夫々、右螺旋トラック、左螺旋トラックなどのガイド用のトラックを予め形成する場合にも、同様に複数回の記録工程が必要となり、製造コストの増大につながる。【００１０】
本発明は、例えば上述した問題点に鑑みなされたものであり、ガイド層にあるシングルスパイラルのトラック上で内周側から外周側へ向うトラッキング制御と外周側から内周側へ向うトラッキング制御との両者を可能ならしめると共に、製造も容易である多層型の情報記録媒体及びその製造方法、そのような情報記録媒体に情報を記録する記録装置及び方法、並びにそのような情報記録媒体から情報を再生する情報再生装置及び方法を提供することを課題とする。
【課題を解決するための手段】
【００１１】
本発明の情報記録媒体は上記課題を解決するために、予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記内周側及び前記外周側の他方側へ導くために、前記所定ペースよりも急峻なペースで前記径方向に変位するように形成されている切替エリアを有する。【００１２】
本発明の情報記録媒体の製造方法は上記課題を解決するために、上述した本発明の情報記録媒体を製造する製造方法であって、前記主要エリアに対して、ＥＯ変調するようにＥＯ変調器を制御することで、前記トラックを形成する第１制御工程と、前記切替エリアに対して、前記トラックのピッチの±１／２で変位させるＡＯ偏向を行うようにＡＯ偏向器を制御すると共にＥＯ変調するようにＥＯ変調器を制御することで、前記トラックを形成する第２制御工程とを備える。【００１３】
本発明の情報記録装置は上記課題を解決するために、上述した本発明の情報記録媒体に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、前記トラッキングサーボがかけられている際に、前記一の記録層に前記第２光ビームを照射し且つ集光することで、前記データを記録するように前記光照射手段を制御するデータ記録制御手段とを備え、前記トラッキングサーボ手段は、前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。【００１４】
本発明の情報記録方法は上記課題を解決するために、上述した本発明の情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、前記トラッキングサーボがかけられている際に、前記一の記録層に前記第２光ビームを照射し且つ集光することで、前記データを記録するように前記光照射手段を制御するデータ記録制御工程とを備え、前記トラッキングサーボ工程は、前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。【００１５】
本発明の情報再生装置は上記課題を解決するために、上述した本発明の情報記録媒体から、データを再生する情報再生装置であって、前記複数の記録層のうち一の記録層にデータ記録用の第２光ビームを照射し且つ集光することが可能である光照射手段と、前記一の記録層からの前記照射され且つ集光された第２光ビームに基づく第２光を受光し、該受光された第２光に基づき前記トラックに対してトラッキングサーボをかけるように前記光照射手段を制御するトラッキングサーボ手段と、該受光された第２光に基づき前記データを取得するデータ取得手段とを備え、前記トラッキングサーボ手段は、前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。【００１６】
本発明の情報再生方法は上記課題を解決するために、上述した本発明の情報記録媒体から、前記複数の記録層のうち一の記録層にデータ再生用の第２光ビームを照射し且つ集光することが可能である光照射手段を用いて、データを再生する情報再生方法であって、前記一の記録層からの前記照射され且つ集光された第２光ビームに基づく第２光を受光し、該受光された第２光に基づき前記トラックに対してトラッキングサーボをかけるように前記光照射手段を制御するトラッキングサーボ工程と、該受光された第２光に基づき前記データを取得するデータ取得工程とを備え、前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。【００１７】
本発明のこのような作用及び利得は次に説明する実施の形態から明らかにされる。
【図面の簡単な説明】
【００１８】
【図１】本発明の実施例に係る、情報記録媒体の基本構成を示す模式的な斜視図である。
【図２】実施例における、ガイド用の第１ビーム及び記録（若しくは再生）用の第２ビームを集光する対物レンズと、情報記録媒体とを示す、模式的な部分拡大断面図である。
【図３】実施例における、第１切替エリアを含む第１特定領域及び第２切替エリアを含む第２特定領域の配置を示す、ガイド層の図式的な平面図である。
【図４】実施例における、切替エリアで切替る際の基本原理を示す、グルーブトラックの部分拡大平面図である。
【図５】実施例における、切替エリアで切替る際の基本原理を示す、ランドトラックの部分拡大平面図である。
【図６】実施例における、切替エリアで切替る際の基本原理を示す、ランド／グルーブトラックの部分拡大平面図である。
【図７】実施例における、内周側から外周側へ往路記録する際の記録順序を示す、ガイド層の図式的な平面図である。
【図８】実施例における、外周側から内周側へ復路記録する際の記録順序を示す、ガイド層の図式的な平面図である。
【図９】実施例における、第１切替エリア及び開始ＳＹＮＣ（同期）エリアを含む、第１特定領域を示す、ランド／グルーブトラックの部分拡大平面図である。
【図１０】実施例における、第１切替エリア並びに開始ＳＹＮＣ（同期）エリア及び終了ＳＹＮＣ（同期）エリアを含む、第１特定領域の拡大平面図である。
【図１１】実施例における、第２切替エリア並びに開始ＳＹＮＣ（同期）エリア及び終了ＳＹＮＣ（同期）エリアを含む、第２特定領域の拡大平面図である。
【図１２】実施例における、スロットに適応させたグループ内に記録されるデータの構成例を示す概念図である。
【図１３】実施例における、第１切替エリア及び開始ＳＹＮＣ（同期）エリアを含む、第１特定領域を示す、ランド／グルーブトラックの部分拡大平面図である。
【図１４】実施例における、第２切替エリア並びに終了ＳＹＮＣ（同期）エリアを含む、第２特定領域の拡大平面図である。
【図１５】実施例における、光ディスクの原盤を製造する製造装置のブロック図である。
【図１６】図１５の製造装置により第１特定領域が形成される様子を示す、原盤上におけるランド／グルーブトラックの部分拡大平面図である。
【図１７】図１５の製造装置により第２特定領域が形成される一の様子を示す、原盤上におけるランド／グルーブトラックの部分拡大平面図である。
【図１８】図１５の製造装置により第２特定領域が形成される他の様子を示す、原盤上におけるランド／グルーブトラックの部分拡大平面図である。
【図１９】実施例における、情報記録再生装置のブロック図である。
【図２０】実施例における、情報記録再生方法のフローチャートである。
【図２１】実施例における、新規ディスクに対する記録方法のフローチャートの一部分である。
【図２２】実施例における、新規ディスクに対する記録方法のフローチャートの他の部分である。
【図２３】実施例における、再生装置での新規ディスクに対する再生方法のフローチャートである。
【図２４】一の変形例における、第１及び第２特定領域の配置を示す、ガイド層の図式的平面図である。
【図２５】他の変形例における、第１及び第２特定領域の配置を示す、ガイド層の図式的平面図である。
【図２６】他の変形例における、第１又は第２特定領域を示す、ランド／グルーブトラックの部分拡大平面図である。
【図２７】他の変形例における、第１又は第２特定領域を示す、ランド／グルーブトラックの部分拡大平面図である。
【図２８】図２７の変形例における、第１又は第２特定領域をグルーブトラックからの突入の様子と共に示す、ランド／グルーブトラックの部分拡大平面図である。
【図２９】他の変形例における、第１又は第２特定領域を示す、ランド／グルーブトラックの部分拡大平面図である。
【図３０】他の変形例における、第１切替エリア並びに開始ＳＹＮＣエリア及び終了ＳＹＮＣエリアを含む、第１特定領域の拡大平面図である。
【図３１】図３０の変形例における、第２切替エリア並びに開始ＳＹＮＣエリア及び終了ＳＹＮＣエリアを含む、第２特定領域の拡大平面図である。
【図３２】他の変形例における、第１切替エリア並びに開始ＳＹＮＣエリア及び終了ＳＹＮＣエリアを含む、第１特定領域の拡大平面図である。
【図３３】図３２の変形例における、第２切替エリア並びに開始ＳＹＮＣエリア及び終了ＳＹＮＣエリアを含む、第２特定領域の拡大平面図である。
【図３４】他の変形例における、第２特定領域を示す、ランド／グルーブトラックの部分拡大平面図である。
【図３５】他の変形例における、第１切替エリアを含む第１特定領域及び第２切替エリアを含む第２特定領域の配置を示す、ガイド層の図式的な平面図である。
【発明を実施するための形態】
【００１９】
以下、発明を実施するための最良の形態として、駆動装置に係る実施形態について順に説明する。
（情報記録媒体）
＜１＞
本実施形態の情報記録媒体は上記課題を解決するために、予めシングルスパイラルのトラックが形成されたガイド層と、該ガイド層上に積層された複数の記録層とを備える。前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する。
【００２０】
本実施形態の情報記録媒体によれば、典型的には、ガイド層に設けられたシングルスパイラルのトラックをガイド用或いはトラッキング用に利用することで、該ガイド層上又は下に積層されている複数の記録層のうちの所望の記録層に対し、該トラックに沿って、ＣＬＶ（Constant Linear Velocity）方式、ゾーンＣＡＶ（Constant Angular Velocity）方式等にて光学的に情報を記録することが可能とされる。更に、同じくトラックをガイド用に利用することで又は利用することなく、記録済とされた所望の記録層から、ＣＬＶ方式、ゾーンＣＡＶ方式等にて光学的に情報を再生することが可能とされる。
【００２１】
なお「シングルスパイラルのトラック」としては、ランド／グルーブトラックが周回毎に交互に配列される形でスパイラル状に形成されたトラックであってもよい。或いは、グルーブトラックのみがスパイラル状に形成されてもよいし、ランドトラックのみがスパイラル状に形成されてもよい。後述の如く、ランド／グルーブトラックの場合に、本実施形態における利益は最大限に発揮されるが、グルーブトラックのみ又はランドトラックのみの場合にも、本実施形態における主に切替エリアにより齎される独自の作用効果は相応に発揮される。
【００２２】
ここに「ガイド層」とは、典型的には少なくとも各記録層への情報記録時或いは書込時に、各記録層に係る記録面内の位置（即ち、記録面に沿った、径方向の位置及びトラック方向の位置）を、ガイド用或いはトラッキング用の第１光ビーム（以下単に「第１光ビーム」と呼ぶ）により、ガイドする又は案内するための層を意味する。「ガイド層」は、典型的には、トラッキングエラー信号（或いはその元となるウォブル信号やプリピット信号など）が発生可能に構成されたトラックが予め物理的に作り込まれている層である。
【００２３】
またガイド層に形成される「トラック」とは、少なくとも情報記録時に、第１光ビームがなぞられる或いは追従される軌道を意味し、典型的には、例えば、ウォブリングされたり、これに加えて又は代えてピットが形成されたグルーブトラック又はランドトラックとして、ガイド層内或いはガイド層上に予め物理的に作り込まれている。なお、記録層において記録後に形成される情報トラックは、当初はトラックが何も無かった記録面内にて、記録された情報ピットの並び或いは配列として構築される点で、ここにいう予め作りこまれた「トラック」とは、明確に区別される。
【００２４】
このようにガイドされる、ガイド層内のトラック上の第１光ビームの各位置に対応する、所望の記録層における、記録後に情報トラック上をなす各位置にて、典型的には、情報記録用或いは情報書込用の第２光ビーム（以下単に「第２光ビーム」と呼ぶ）による情報記録が行われる。
【００２５】
なお、ガイド層は、典型的には、全記録層に対して一層だけ設けられていれば足りるが、例えば二層など複数備えられて、各々が適宜に用いられる或いは役割分担される構成でもかまわない。いずれにせよ、ガイド層と複数の記録層とは、相互に別層として設けられる。
【００２６】
複数の記録層は、例えば１６層など、各々に独立して情報を記録可能更に再生可能となるように構成される。複数の記録層は夫々、未記録状態では、例えば鏡面など、なるべく単純な構造を持つのが好ましい。複数の記録層の相互間の位置合わせや、ガイド層との間での位置あわせが殆ど又は実践上全く不要であるのが、製造上好ましいからである。記録層の構造は、光ビームの照射側から見て、奥側の記録層或いはガイド層に対しても、光ビームが到達するように、各々の記録層における透過率及び反射率が所定範囲に収まるよう設定された各種記録方式で記録可能に構成されている。
【００２７】
より具体的には、情報記録時には、例えば、ガイド層に存在するトラックに対し、第１光ビーム（例えば、比較的大径の光スポットを形成する赤色レーザ）が集光された場合に得られる反射光から、ラッキングエラー信号（或いはその元となるウォブル信号及びこれに加えてプリピット信号）、記録用同期クロックであるタイミング情報が検出可能とされる。このタイミング情報により規定されるタイミングで、既存フォーマットに準拠した所定の帯域にての情報記録が可能となる。この際、例えば、トラッキングエラー信号に従って、ガイド動作の一種としてトラッキング或いはトラッキングサーボが実行可能とされる。このトラッキングが行われている或いはトラッキングサーボが閉じられている状態で、トラックの上層又は下層側における所望の記録層に対し、第２光ビーム（例えば、比較的小径の光スポットを形成する青色レーザ）が集光されることで、情報の記録が行われる。言い換えれば、ガイド層に予め形成されたトラックの位置を基準として、予めトラック或いはトラックの如きが何ら存在していない（例えば、鏡面状態）他の層である所望の記録層における情報を記録する際の面内位置決めが行われる。（なお、フォーカスについては集光する際に別途行われている。）
ここで、光ピックアップ等における、第１及び第２光ビームを照射する光学系が固定されていれば、それらにより形成される光スポットの位置関係も固定されている。このため、第１光ビームの位置（即ち、それにより形成されるトラック上の光スポットの位置）についてトラッキングサーボ等のガイド動作を実行することは、第２光ビーム（即ち、それにより形成される記録面内における光スポットの位置）についても、再現性を持ってガイド動作を行っていることになる。言い換えれば、予め存在するトラック上における第１光ビームを利用して、予めトラックが存在しない記録面内における第２光ビームを、トラッキング或いはガイド可能となる。
【００２８】
このような記録方式を採用すれば、相互に積層形成される、ガイド層及び各記録層間で、或いは複数の記録層の相互間で、トラック相互間の記録面に沿った方向についての位置合わせを行う必要が元より殆ど又は実践上全くない。これは、製造上極めて有利である。
【００２９】
他方、情報再生の際には、同様にトラックはガイド用に利用されてもよいし、或いは、この情報再生の際には、既に記録層に書き込まれた情報を追従することで、ガイド層をガイド用に（典型的には、トラッキング用やタイミング発生用に）利用することなく、記録後の情報トラックに対してトラッキング動作を行うことで再生することも可能である。
【００３０】
本実施形態では特に、一方で、例えば内周側から外周側へ向う往路記録などの、前記一方側へ向けて記録を行う場合、主要エリアでは、トラッキングサーボがクローズの状態で第１光ビームの読取位置がトラックを追従し、切替エリアでは、トラッキングサーボがオープン(ホールド)の状態で、第１光ビームの読取位置は、切り替えエリア前後の主要エリアにおいて、同一半径位置に対応するトラック（即ち、同一半径位置に対応する隣接トラック）にトレースすることになる。なお本実施形態に係る「同一半径位置に対応する」とは「同一半径位置にある」或いは「完全に同一半径位置にある」という意味ではなく、トラックに沿った距離に応じて、主要エリアでトラックが径方向へ変位する所定ペース分だけ、半径方向に微小にズレているという趣旨であり、即ち「略同一半径位置にある」ことを意味する。言い換えれば「同一半径位置に対応するトラック」とは、略同一半径位置にある隣接トラックを意味する。
【００３１】
これは、主要エリアでは、前記一方側への記録（例えば、外周側へ向う往路記録）を行う際に、トラックが周回を重ねる毎に前記一方側へ所定ペースで変位するように、トラックがスパイラルされているからである。即ち、この主要エリア内においては、切替エリアの存在しない既存のトラックと同一にトラッキングサーボを行えるからである。また、切替エリアでは、トラッキングサーボがオープン(ホールド)の状態とされれば、第１光ビームの読取位置がトラック１周分だけ前記他方側へ導かれる。
【００３２】
なお「他方側へ導く」とは、より詳細には、トラッキングサーボがオープン(ホールド)の状態で、第１光ビームの読取位置（即ち、ガイド層上における光スポットの位置）である「トラッキング位置」が、トラックを斜めに外れて或いは斜めに横切って、誘導されるという意味である。言い換えれば、トラッキング位置が、急峻なペースで径方向に変位する（即ち、主要エリアにおけるのと比べて周方向（接線方向）に対して大きな角度をなす）トラック部分を斜めに横切って、トラック１周分だけ概ね真っ直ぐに前記他方側へ突き抜け、隣接トラックへと跳び移るという意味である。しかしながら、半径位置は略同一のため、切り替えエリアの前後の主要エリアとしては、同一トラック上を恰も追従しているように動作する。
【００３３】
この際、「隣接トラックへの誘導」としては、ランド／グルーブトラックの場合には、ランドトラック及びグルーブトラックの配置と切替エリアとの位置関係により、ランドトラックからグルーブトラックへの誘導又はグルーブトラックからランドトラックへの誘導のみならず、ランドトラックからランドトラックへの誘導又はグルーブトラックからグルーブトラックへの誘導の場合がある。
【００３４】
その後、切替エリアを通過して主要エリアに戻ることで、トラッキングサーボが再びクローズされれば、トラックオンの状態が回復される。よって、第１光ビームが切替エリアを通過する際に、半径位置は略同一のため、同一トラック上を恰も追従しているように動作する。
【００３５】
本実施形態では特に、他方で、例えば外周側から内周側へ向う復路記録などの、前記他方側へ向けて記録を行う場合、主要エリア及び切り替えエリアの両方で、トラッキングサーボがクローズの状態とされれば、第１光ビームの読取位置がトラックを追従する。しかも、切替エリアでは、トラックが局所的に、所定ペースよりも急峻なペースで径方向に変位するように形成されているものの、それは、トラッキングサーボがクローズの状態で追従可能な程度に過ぎず、この切替エリアを主要エリアと一体として見た場合にも、前記他方側への記録（例えば、内周側へ向う復路記録）を行う限りにおいて、やはり、切替エリアの存在しない既存のトラックと同一又は類似にトラッキングサーボを行える。
【００３６】
なお「追従可能な程度」とは、より詳細には、トラッキングサーボがクローズの状態で、第１光ビームの読取位置（ガイド層上における光スポットの位置）である「トラッキング位置」が、トラックを追従可能な程度にという意味である。
【００３７】
このように前記他方側への記録（例えば、内周側へ向う復路記録）を行う通常のスパイラルトラックでのトラッキング動作と同様に、普通にトラッキングを実行可能な状況が簡単にして得られる。
【００３８】
これらの結果、往路記録などの前記一方側へ向けて記録を行う場合、トラッキングサーボを切替エリアのところだけ局所的にオープン(ホールド)とすれば、所望の記録層に対して、内周側から外周側へ向う往路記録及び外周側から内周側へ向う復路記録の両者について、情報が記録可能となる。よって、ガイド層にあるシングルスパイラルのトラック上で内周側から外周側へ向うトラッキング制御と外周側から内周側へ向うトラッキング制御との両者が可能となる。記録方向を双方向としつつ、所謂トラックジャンプを行う必要がない。或いは、切替エリアにおける本実施形態に独自の、実質的なトラックジャンプを行えば足りる。これは特に、仮にトラックジャンプを必須としたのでは、ジャンプ期間中の記録データを保証することができない又は困難であることから、実践上非常に有利である。
【００３９】
しかも、シングルスパイラルのトラックは、単一のガイド層に対して１回の記録工程で記録することも可能であるので、ガイド層の製造は容易であり、よって、当該情報記録媒体の製造自体も容易となる。
＜２＞
本実施形態の情報記録媒体の一の態様では、前記切替エリアは、前記ガイド層の面内において同一位相側の領域にまとまって配置されている。
【００４０】
このように構成すれば、前記一方側へ向って記録（例えば、往路記録）を行う際には、同一位相側の領域にまとめられた切替エリアを介して、トラック一周分の跳び移りを適宜に実行しながら断続的にトラッキングを実行できる。他方で特に、前記他方側へ向って記録（例えば、復路記録）を行う際には、切替エリアを介して、トラッキングサーボをクローズしたままで何ら問題なく連続的にトラッキングを実行できる。なお「同一位相側の領域」とは、位相位置が概ね揃っている或いは円内で方位が概ね揃っている幅の細い扇形の領域又はこれに類似する領域であり、略同一位相の領域と呼んでもよい。切替エリアはガイド層の面内でまとめられている方が、構造及びそこで実行される処理が単純化されると共にデータ容量の節約にもつながる。
＜３＞
本実施形態の情報記録媒体の他の態様では、前記トラックは、ランド／グルーブ方式のランドトラック及びグルーブトラックを有し、前記主要エリアには、前記ランドトラック及びグルーブトラックが周回毎に交互に存在しており、前記切替エリアは、前記ランドトラックと前記グルーブトラックとが周回毎に前記切替エリアを介して前記トラックとして連続している第１切替エリアと、前記ランドトラックと前記ランドトラックとが一の周回で前記切替エリアを介して前記トラックとして連続していると共に前記グルーブトラックと前記グルーブトラックとが前記一の周回に隣接する他の周回で前記切替エリアを介して前記トラックとして連続している第２切替エリアとを含む。
【００４１】
この態様によれば、前記一方側へ向って記録（例えば、往路記録）を行う際には、第１切替エリアを介して、（i）グルーブトラックからグルーブトラックへのトラック一周分の跳び移り又は(ii)ランドトラックからランドトラックへのトラック一周分の跳び移りを適宜に実行しながら、断続的にトラッキングを実行できる。これと相前後して、第２切替エリアを介して、（i）グルーブトラックからランドトラックへのトラック一周分の跳び移り又は(ii)ランドトラックからグルーブトラックへのトラック一周分の跳び移りを適宜に実行しながら、断続的にトラッキングを実行できる。
【００４２】
他方で特に、前記他方側へ向って記録（例えば、復路記録）を行う際には、第１及び第２切替エリアを介して、トラッキングサーボをクローズしたままで何ら問題なく連続的にトラッキングを実行できる。即ち、第１切替エリアでは、（i）グルーブトラックからランドトラックへの移行又は（i）ランドトラックからグルーブトラックへの移行が、トラッキングサーボがクローズされたまま、即ちトラックオン状態が継続されたままで実行される。或いは、第２切替エリアでは、（i）グルーブトラックからグルーブトラックへの移行又は（i）ランドトラックからランドトラックへの移行が、トラッキングサーボがクローズされたまま、即ちトラックオン状態が継続されたままで実行される。
＜４＞
この第１及び第２切替エリアに係る態様では、前記第１切替エリアは、前記ガイド層の面内において一の同一位相側の領域にまとまって配置されており、前記第２切替エリアは、前記ガイド層の面内において前記一の同一位相に対向する他の同一位相側の領域にまとまって配置されてよい。
【００４３】
このように構成すれば、前記一方側へ向って記録（例えば、往路記録）を行う際には、同一位相側の領域に夫々まとめられた第１及び第２切替エリアを介して、トラック一周分の跳び移りを適宜に実行しながら断続的にトラッキングを実行できる。他方で特に、前記他方側へ向って記録（例えば、復路記録）を行う際には、第１及び第２切替エリアを介して、トラッキングサーボをクローズしたままで何ら問題なく連続的にトラッキングを実行できる。第１及び第２切替エリアは夫々、ガイド層の面内でまとめられている方が、構造及びそこで実行される処理が単純化されると共にデータ容量の節約にもつながる。
＜５＞
本実施形態の情報記録媒体の他の態様では、前記ガイド層は、記録方向を基準として前記切替エリアの前側に配置されており、前記切替エリアが次に開始する旨を示す開始告知エリアを更に備える。
【００４４】
この態様によれば、前記他方側への記録時に、開始告知エリアの検出に応じて、切替エリアの開始を事前に或いは遅延なく検知することが可能となる。開始告知エリアとは、予め開始する旨を告知するパターン等を有するものと規定されている。例えば、主要エリア及び切替エリアとは区別可能な特定のパターンを有するＳＹＮＣ（同期）信号が記録されたエリアである。
【００４５】
よって、例えば特定のＳＹＮＣパターンが検出されると、開始告知エリアが検出されることによって、切替エリアの開始に対して殆ど又は全く遅れることなく、トラッキングサーボをクローズの状態からオープン(ホールド)の状態に切り替えられる。よって、切替エリア内におけるトラック１周分の跳び移りを支障なく行える。
【００４６】
なお、前述した第１切替エリアと第２切替エリアとに対しては、相互に区別可能なように、相異なるパターンを有する開始告知エリアを設けるとよい。
＜６＞
本実施形態の情報記録媒体の他の態様では、前記切替エリアは、グルーブ構造、ランド構造又はピット構造を有する。
【００４７】
この態様によれば、グルーブトラック、ランドトラック又はランド／グルーブトラック上における、グルーブ構造、ランド構造又はピット構造として、切替エリアを、比較的容易にして、高い信頼性・安定性を有するように構築できる。
【００４８】
更に、切替エリア及び上述の開始告知エリアは、少なくとも部分的に、(i)鏡面又はストレートグルーブ若しくはストレートランド構造を有してもよいし、(ii)鏡面又はストレートグルーブ若しくはストレートランド構造を有する鏡面領域を有してもよい。ここに「鏡面」とは、特に情報が埋め込まれてないプレーンな素面を意味し、ガイド層にて光反射率が最も高い面となる。「ストレートグルーブ若しくはストレートランド構造」とは、ウォブルやピットなどが形成されていない単なる真っ直ぐな溝（グルーブ）又は溝と溝との間にある土手（ランド）を意味する。なお、グルーブとランドとは、相対的な凹凸であり、第１及び第２光ビームが照射される方向から見て、どちらが凹でありどちらが凸であっても構わない。例えば、情報記録媒体を構成する本体基板を基準に凹とされるのがグルーブであり、凸とされるのがランドである。この場合、第１及び第２光ビームが照射される方向に応じて該方向から見て、グルーブが凸となり且つランドが凹となったりする。
【００４９】
加えて、切替エリア及び上述の開始告知エリアは、少なくとも部分的に、ウォブル及びプリピット構造を含んでもよい。ここに「ウォブル及びプリピット構造」とは、ウォブル或いはウォブリングされたグルーブ又はランドトラックが形成されていると共に、そのグルーブ内又はランド内にプリピットが形成されている構造を意味する。更に「プリピット」とは、グルーブ内若しくは上、又はランド上若しくは内におけるトラック上に、グルーブ幅又はランド幅よりも狭くなるように形成された凸状又は凹状のピット或いは位相ピットを意味する。言い換えれば、プリピットは、ランドプリピットでも、グルーブプリピットであってもよい。
【００５０】
或いは、切替エリア及び上述の開始告知エリアは、少なくとも部分的にウォブル及び一部切欠き構造を含んでもよい。ここに「ウォブル及び一部切欠き構造」とは、ウォブル或いはウォブリングされたグルーブ又はランドトラックが形成されていると共に、そのグルーブ内又はランド内にグルーブ幅又はランド幅と同等の切欠きが施されている構造を意味する。相隣接するグルーブ間に存在するランドの一部が切欠きされている場合、相隣接するランド間に存在するグルーブの一部が切欠きされている場合、及びそれらを組み合わせた場合が考えられる。言い換えれば、物理構造は、一部切欠きという広義のプリピットを含んで構成されてもよく、更に、この広義のプリピットは、広義のランドプリピットでも、広義のグルーブプリピットであってもよい。更に、そのような構造に加えて、前述した狭義のプリピット（即ち、一部切欠き構造を伴わないプリピット）を併せて形成することも可能である。
【００５１】
このように、切替エリア及び開始告知エリアは、例えば、ピットが形成され又はこれに代えて若しくは加えてウォブリングされたグルーブトラック又はランドトラックとして、ガイド層に予め構築される。或いは、トラックは、ランド又はグルーブの一部が切欠きされ又はこれに代えて若しくは加えてウォブリングされたグルーブトラック又はランドトラックとして、ガイド層に予め構築される。よって、その構築は、比較的容易であり、最終的には、信頼性及び安定性の高いガイド動作が可能とされる。
【００５２】
このようなガイド層に構築されるランド又はグルーブの凹凸若しくはピット等であって、タイミング情報の発生やトラッキング動作等に寄与するマークを、適宜単に「マーク」と称する。
＜７＞
本実施形態の情報記録媒体の他の態様では、前記ガイド層は、記録方向を基準として前記切替エリアの後側に配置されており、前記切替エリアが終了した旨を示す終了告知エリアを更に備える。
【００５３】
この態様によれば、前記他方側への記録時に、終了告知エリアの検出に応じて、切替エリアの終了を直後に又は遅延なく検知することが可能となる。終了告知エリアは、切替エリアや開始告知エリアと同様に、例えば、各種グルーブ構造、ランド構造、ピット構造等から構成され、特定のパターンを有する。よって、例えば特定のパターンが検出されると、終了告知エリアが検出されることによって、主要エリアの終了に対して殆ど遅れることなく、トラッキングサーボをオープン(ホールド)の状態からクローズの状態に切り替えられる。即ち、切替エリア内におけるトラック１周分の跳び移りの後に、トラックオンの状態を直ちに又は遅延なく回復させられる。
【００５４】
なお、前述した第１切替エリアと第２切替エリアとに対しては、相互に区別可能なように、相異なるパターンを有する終了告知エリアを設けるとよい。更に、開始告知エリアと、終了告知エリアとでは、相互に区別可能なように、相異なるパターンを有するように構成するとよい。
＜８＞
本実施形態の情報記録媒体の他の態様では、前記切替エリアは、前記切替エリアの前記トラック方向の長さと、前記複数の記録層に夫々記録されることになるデータのフォーマットの構成単位の前記トラック方向の長さとが、所定の整数比となるように、形成されている。
【００５５】
この態様によれば、ガイド層における切替エリアのトラック方向の長さと、各記録層における、記録されることになるデータ（例えば、ユーザデータ、コンテンツデータなど）のフォーマットの構成単位のトラック方向の長さとが、所定の整数比となる。ここに「フォーマットの構成単位」とは、例えば、ＥＣＣ（Error Correction Code）ブロック、ＡＤＩＰ（Address In Pre-groove）単位等のエラー訂正の単位など、データフォーマットに準拠しての構成単位を意味し、典型的には、情報記録時又は情報再生時に、所定種類の処理を行う際に扱われる単位となる。
【００５６】
このため、切替エリアの発生頻度と、トラックに対応する記録面内位置における記録層に情報を記録する周期とを、半径位置に寄らずに或いはトラック位置に寄らずに、一定の関係に維持することが出来る。特にＣＬＶ方式の場合には、径位置によって、角速度が変化するにも拘らず、任意の径位置にて、安定したガイド動作が実行可能となる。しかも、そのためには、予め作り込む際に、切替エリアのトラック方向の長さを、データのフォーマットの構成単位の長さに応じて規定すればよい。
【００５７】
加えて、このように構成すれば、クロストークの影響が低減された形で、切り替るタイミングを、切替エリアから良好に生成することも可能となる。
＜９＞
本実施形態の情報記録媒体の他の態様では、前記主要エリアには、記録方向が前記一方側へ向う第１アドレス情報及び前記他方側へ向う第２アドレス情報が、プリフォーマット情報として埋め込まれている。
【００５８】
この態様によれば、主要エリアには、記録方向が例えば、往路方向など内周側から外周側に向うアドレス位置を示す第１アドレス情報が、プリフォーマット情報として予め埋め込まれている。しかも、主要エリアには、記録方向が例えば、復路方向など外周側から内周側に向うアドレス位置を示す第２アドレス情報が、プリフォーマット情報として予め埋め込まれている。いずれのアドレス情報についても、プリピット、プリグルーブ、プリランド、マーク、ウォブルなど、プリフォーマット情報の形式は、第１光ビームにより読取可能である限りにおいて任意である。このため、ガイド層により、例えばタイミングの生成やトラッキングエラー信号の発生によるトラッキングといったガイド機能のみならず、これに代えて又は加えて、アドレス情報の提供によるガイド機能が発揮される。ガイド層に予め形成されたトラックからアドレス情報まで取得できれば、トラックによりガイドされつつ記録層に情報を記録する作業が容易にでき、記録作業の信頼性及び安定性を高められる。
【００５９】
特に、ＣＬＶ方式のフォーマットでプリアドレス等のガイド情報を設けることが可能となり、ゾーンＣＡＶ方式に比べ、高密度記録データ配置が可能となる。
【００６０】
本実施形態の他の態様では、情報記録媒体はＣＬＶ方式であって、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている。
【００６１】
或いは、この態様では、前記トラックには、ガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されてもよい。
【００６２】
このように構成すれば、ガイド層に形成されたトラックには、例えば、ガイド情報を担持する物理構造を夫々有する複数のガイド領域が、配置されている。ここに「ガイド情報」とは、第１光ビームをガイド若しくは案内する又は追従させるための情報であり、典型的には、光学的にトラッキングエラー信号（或いはその元となるウォブル信号及びこれに加えてプリピット信号）を発生させるための情報である。更に、ガイド情報は、タイミングを発生させるための、或いは、トラッキング用の光ビームを位置決めするためのマークとなるという意味から「マーク情報」（或いは単に「マーク」）と言い換えることも出来る。
【００６３】
本実施形態では、このようなガイド情報の一種類として、例えば、記録用同期クロックである、複数の記録層に記録するためのタイミング情報が、ガイド領域の有する物理構造によって担持されてもよい。
【００６４】
このようなガイド情報を担持する物理構造は、典型的には、グルーブトラック又はランドトラックの側壁又は内部若しくは外部に造作されたウォブル及びプリピット構造（即ちランドプリピット、グルーブプリピットなど）、ウォブル及び一部切欠き構造、グルーブ及びランドがない面（例えば、鏡面）上におけるプリピットの配列や連なりなどによって、実現される。ここに「物理構造」とは、論理構造、単なるデータにより構築される概念的な或いは仮想的な構造とは異なり、物理的に実在する構造を意味する。物理構造は、当該情報記録媒体の完成時に既にガイド上に造り込まれている。タイミング情報は、例えば、トラックに沿ったグルーブ又はランド上にて変調されている複数のピット或いは凹凸の集合体であるマークとして、担持されている。
【００６５】
ここで本願発明者による研究の結果、例えば所定の帯域のタイミング情報の発生を行う、所定の帯域でトラッキングを行うなどの、ガイド動作を実行可能とするといった特定目的は、いずれかのトラックにてガイド情報を検出可能とする必要があるにせよ、従前の或いは既存の光ディスクにおけるトラックの如く、当該ガイド情報を検出するための特殊な仕掛けを、トラック方向に連続して形成しなくても、達成可能であることが判明している。即ち、ガイド情報が検出される時間間隔に相当するガイド情報の配置間隔（即ち、配置ピッチ）を、ガイド動作を可能ならしめるのに最低限必要な距離よりも小さく（例えば所定の帯域のタイミング情報の発生を可能ならしめる最長距離以下、トラッキングサーボが所定の帯域で動作可能な最長距離以下などに）設定しておく限りにおいて、トラックに沿った全域にこのような特殊な仕掛けを施しておかなくても、上記目的は達成可能であることが判明している。同時に、相隣接する複数のトラックについて言えば、径方向に揃った複数の位置或いは領域の各々に、このような特殊な仕掛けを並べておかなくても、即ち、径方向に一列に規則正しくこのような特殊な仕掛けを並べて（或いは整列させて）おかなくても、上記目的は達成可能であることが判明している。
【００６６】
そこで本実施形態では、複数のガイド領域は、螺旋状であるトラックに沿ったトラック方向（言い換えれば、トラックの接線方向）に、相互に、予め設定された所定距離又はそれ未満の距離を、配置間隔（即ち、配置ピッチ）として離散的に配置されている。ここに「所定距離」とは、典型的には、所定の帯域のタイミング情報の発生を可能ならしめる最長の距離よりも若干のマージンを持って短い距離、或いは、所定の帯域でトラッキング或いはトラッキング動作である、ガイド或いはガイド動作が機能し得る最長の距離（例えば、トラッキング動作を所定の帯域で安定的に実行可能ならしめる頻度にてトラッキング信号を連続的或いは継続的に発生し得る最長の距離）よりも若干のマージンを持って短い距離である。また、タイミング情報についての「所定の帯域」とは、例えば既存フォーマットで記録されたデータと再生互換性を有するフォーマットにより記録を行うための帯域である。トラッキングに係る「所定の帯域」とは、情報記録時に用いられる帯域との関係で定まる、トラッキング動作が行われる、データフォーマット或いはデータ規格に対して固有の帯域を意味する。
【００６７】
このような所定距離は、予め実験的、経験的に又はシミュレーション等により、固有の情報記録媒体におけるガイド層に対して、ガイド動作（典型的には、所定の帯域のタイミング情報を発生させる動作や、所定の帯域でのトラッキング動作）が機能する限界の距離を求めることと、適当なマージンを決定することで、設定されればよい。仮に、ガイド領域が、所定距離よりも長い配置間隔（即ち、配置ピッチ）で、離散的に配置されていたとすれば、例えば既存フォーマットに準拠した所定の帯域のタイミング情報が生成されない、或いは、例えば所定の帯域で安定したトラッキングサーボを可能ならしめるだけの頻度にてトラッキングエラー信号を生成できないなど、安定したガイド動作を実行できない。
【００６８】
なお「離散的に」とは、各記録層に係る記録面上で平面的に見て、相互に連続しておらず、相互間に、鏡面、緩衝領域、ガイド領域以外の領域など他の平面領域が介在している意味である。
【００６９】
複数のガイド領域は、トラックに交わる径方向（即ち、半径方向）に、相隣接する複数のトラックに渡って、該複数のトラック間でずらされて、配置されている。ここに「複数のトラックに渡って」とは、各記録層に係る記録面上で平面的に見て、相互に隣接する二本又は二本以上のトラック及びそれらの間隙を占める領域を含めて、それらに渡って或いは跨ってという意味である。また「径方向に、複数のトラック間でずらされて」とは、径方向（即ち半径方向）について複数のトラック間が同一位相（例えば、ディスク上の角度）或いは同一位相に相当する位置（例えば、ディスク上の角度位置）にない、或いは同一半径上にないという意味である。この際、相対的に径方向について近接して並ぶ複数のガイド領域は、完全に（即ち、間に間隙を隔てて）離間している必要は無く、典型的には、情報記録時又は再生時におけるトラッキングサーボ用の光ビームが、該複数のガイド領域に同時にかからない程度に（例えば５トラックに渡って）、径方向の位相がずらされていれば足りる。或いは、光ビームにより、該複数のガイド領域から読み取り可能な信号や情報が相互から識別可能である程度にずらされていれば足りる。
【００７０】
このため、光ビームのスポットが相隣接する二つの或いは二つ以上のトラック或いはトラック部分に跨るまで（例えば５トラックに渡るまで）トラック密度を高めても、これに対応してガイド領域が上述の如くずらされている限りにおいて、トラック方向及び径方向の双方についてガイド情報が重なること（或いは他のガイド領域からの信号成分がノイズとして影響を及ぼすこと）に起因して、即ち検出されるガイド情報のクロストークにより、ガイド情報が検出不能となってしまう事態が回避可能となる。このようにトラック密度を高めても、ガイド或いはトラッキングが可能となり、ガイド層としての、典型的にはトラッキング信号を発生する本来の機能や、記録用同期クロックなどの所定の帯域のタイミング信号を発生させる機能は保証される。
【００７１】
従って、第１光ビームがガイド層における相隣接する複数のトラックに同時に照射される程度に、第１光ビームの径に対して、トラックピッチを狭めつつも、例えば既存フォーマットに準拠した記録用同期クロックを発生することが可能となり、これに加えて、例えば第１光ビームに起因する反射光等から得られるプッシュプル信号をサンプリングするなどして、トラッキングエラー信号或いはその元となるウォブル信号及びこれに加えてプリピット信号等のガイド情報を、安定して連続的に発生させることが可能となる。即ち、例えば記録用同期クロックに基づく光ディスクのスピンドルサーボ制御、スレッドサーボ制御等の制御動作や記録用のレーザ光に係る変調周期の制御動作、更に、所定の帯域での安定したトラッキング動作等のガイド動作が実行可能となる。或いは、ガイド情報に、制御用の情報（例えば、サーボマークやアドレス情報など）を含めた場合に、これを第１光ビームに起因する反射光等に基づく情報として、確実に読み取ることが可能となる。即ち、安定的にプリフォーマット情報を取得可能となる。
【００７２】
よって、この態様によれば、ＣＬＶ方式を採用しつつ、記録層において記録若しくは再生できるトラックピッチや記録線密度（例えば、線記録密度、ピットピッチ或いは情報転送速度（即ち、記録線密度×移動速度））を、多層型の情報記録媒体における本来の目的である「高密度記録」と言える程度にまで高めることが可能となる。
【００７３】
これは特に、第１光ビーム（例えば、赤色レーザ）が、第２光ビーム（例えば青色レーザ）に比べてビーム径が大きい場合において、第２光ビームの相対的に小さい光スポットを有効活用して（即ち、その小ささに応じて）記録層に情報記録する際における記録密度を限界付近まで高める場合に、極めて有利に働く。即ち、記録層における記録後にトラックとなる狭ピッチの記録領域に対応する狭ピッチのトラックを、ガイド層に予め造り込んだ場合に、必然的に、そのようなトラックに対して大きくなる第１光ビームの光スポットは、複数のトラック（例えば５トラックなど多数のトラック）に渡って同時に照射されるという技術的性質を有する。このため、相対的に大きな光スポットを形成する第１光ビームを用いて、狭ピッチの記録層に対応したタイミング情報の発生や、トラッキング動作等のガイド動作を行う必要があるからである。
【００７４】
なお、第１光ビームが、第２光ビームに比べてビーム径が小さい場合においても、或いは、これらの径が殆ど又は全く同じ場合においても、トラックのピッチに対して光ビームの径が大きい場合に適切にガイド動作を行おうとする限りにおいて、やはり、上述の如き本実施形態における独自の構成は、相応の作用効果を齎すものである。
【００７５】
このように、ガイド用のトラックについては、例えば既存フォーマットに準拠した記録用同期クロックの発生を可能ならしめること、所定の帯域でトラッキングサーボを可能ならしめること或いはプリフォーマット情報を読み取らせることなどのガイド機能を損なわないようにしつつ、そのピッチを（例えば、記録層における記録により構築されると共に第２光ビームのビーム径に相応しい情報トラックが有することになる、狭ピッチと同程度にまで）狭ピッチにする（即ち、第１光ビームに対して不相応なまでに狭ピッチにする）ことが可能となる。
（情報記録媒体の製造方法）
＜１０＞
本実施形態の情報記録媒体の製造方法は上記課題を解決するために、上述した実施形態の情報記録媒体（但し、その各種態様を含む）を製造する製造方法であって、前記主要エリアに対して、ＥＯ変調するようにＥＯ変調器を制御することで、前記トラックを形成する第１制御工程と、前記切替エリアに対して、前記トラックのピッチの±１／２で変位させるＡＯ偏向を行うようにＡＯ偏向器を制御すると共にＥＯ変調するようにＥＯ変調器を制御することで、前記トラックを形成する第２制御工程とを備える。
【００７６】
本実施形態の製造方法によれば、主要エリアについては、第１制御工程によって、ＥＯ（Electro-Optical：電気光学）変調器がＥＯ変調することによって、シングルスパイラルのトラックが形成される。この際、ＡＯ（Acoustic-Optical：光強度）偏向は行われない。即ち、主要エリアにおけるトラックを、通常のシングルスパイラルのトラックを形成するのと同様に、普通に形成できる。なお、このようなトラックとしては、ランドトラック及びグルーブトラックが周回毎に交互に形成されてもよい。或いは、ランドトラック又はグルーブトラックが形成されてもよい。
【００７７】
他方、切替エリアについては、第２制御工程によって、ＡＯ偏向器がトラックのピッチの±１／２で変位させるＡＯ偏向することによって且つＥＯ変調器がＥＯ変調することによって、シングルスパイラルのトラックが形成される。この際、ＡＯ偏向によって、主要エリアにおける所定ペースに比べて急峻なペースで径方向に変位する（言い換えれば、主要エリアにおけるのと比べて周方向（接線方向）に対して大きな角度をなす）トラック部分を、切替エリアにのみ局所的に構築できる。
【００７８】
より具体的には、例えば、上述の第１切替エリア及び第２切替エリアを以下のように製造する。
【００７９】
第１切替エリアの直前がグルーブの場合、第１切替エリアにおいては、その前半部分をＥＯ変調器はグルーブとして制御し、ＡＯ偏向器をトラックピッチの１／２だけ内周側へずれるように制御する。その後、第１切替エリアの後半部分は、ＥＯ変調器をランドとして制御し、且つ、ＡＯ偏向器は元の（半径位置）トラックへトレースするように偏光を制御する。
【００８０】
第１切替エリアの直前がランドの場合、第１切替エリアにおいては、その前半部分をＥＯ変調器はランドとして制御し、ＡＯ偏向器はトラックピッチの１／２だけ外周側へずれるように制御する。その後、第１切替エリアの後半部分は、ＥＯ変調器はグルーブとして制御し、且つ、ＡＯ偏向器は元のトラックへトレースするように偏光を制御する。
【００８１】
第２切替エリアの直前がグルーブの場合、第２切替エリアにおいては、その前半部分をＥＯ変調器はランドとして制御し、ＡＯ偏向器をトラックピッチの１／２だけ外周側へずれるように制御する。その後、第２切替エリアの後半部分は、ＥＯ変調器はグルーブとして制御し、且つ、ＡＯ偏向器は元のトラックへトレースするように偏光を制御する。
【００８２】
第２切替エリアの直前がランドの場合、第２切替エリアにおいては、その前半部分をＥＯ変調器はグルーブとして制御し、ＡＯ偏向器はトラックピッチの１／２だけ内周側へずれるように制御する。その後、第２切替エリアの後半部分は、ＥＯ変調器はランドとして制御し、且つ、ＡＯ偏向器は元のトラックへトレースするように偏光を制御する。
【００８３】
このように、上述した実施形態の情報記録媒体におけるガイド層を、ＡＯ偏向を適宜に行うことによって、比較的簡単にして製造できる。
（情報記録装置）
＜１１＞
本実施形態の情報記録装置は上記課題を解決するために、上述した実施形態の情報記録媒体（但し、その各種態様を含む）に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、前記トラッキングサーボがかけられている際に、前記一の記録層に前記第２光ビームを照射し且つ集光することで、前記データを記録するように前記光照射手段を制御するデータ記録制御手段とを備える。前記トラッキングサーボ手段は、前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。
【００８４】
例えば、前記トラッキングサーボ手段は、前記一方側へ向けて記録を行う場合、前記主要エリアでは、トラッキングサーボがクローズの状態で前記読取位置が前記トラックを追従するように前記光照射手段を制御すると共に、前記切替エリアでは、トラッキングサーボがオープン(ホールド)の状態で前記読取位置が前記トラック１周分だけ前記外周側及び内周側の他方側へ導かれるように前記光照射手段を制御する。前記トラッキングサーボ手段は、前記他方側へ向けて記録を行う場合、前記主要エリア及び前記切替エリアの両方で、前記クローズの状態で前記第１光ビームの読取位置が前記トラックを追従するように前記光照射手段を制御する。
【００８５】
本実施形態の情報記録装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【００８６】
すると、第１光ビームに基づく、ガイド層からの反射光、散乱光、屈折光、透過光等である第１光が、例えば受光手段により受光され、この受光された第１光に基づき、基本的に、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御される。ここに受光手段は例えば、光照射手段と一体形成され対物レンズ等の光学系を少なくとも部分的に共有する、二分割或いは四分割のＣＣＤ（Charged Coupled Device）等のフォトディテクタ或いは受光素子を含んで構成される。受光手段は例えば、プリズムやダイクロイックミラー、ダイクロイックプリズム等を経由して、第１光を、第２光並びに第１及び第２光ビームと途中から異なる光路にて、受光するように構成される。
【００８７】
このように所定の帯域でトラッキングサーボがかけられている或いはトラッキングサーボが閉じられた状態で、例えばプロセッサ等のデータ記録制御手段による制御下で、記録すべき情報に対応して変調される第２光ビームが、光照射手段により、照射され且つ集光される。第２光ビームは、情報記録の高密度記録を狙って、前述したように例えば青色レーザ光ビームの如くスポット径が相対的に小さい光ビームであってよい。記録情報の高密度化を図るという観点からは、第２光ビームは、より細い光束であることが望ましい。
【００８８】
ここで特に、一方で、例えば内周側から外周側へ向う往路記録などの、前記一方側へ向けて記録を行う場合、主要エリアでは、トラッキングサーボがクローズの状態とされることで、第１光ビームの読取位置がトラックを追従する。これに対して、切替エリアでは、トラッキングサーボがオープン(ホールド)の状態とされることで、第１光ビームの読取位置がトラック１周分だけ前記他方側へ導かれる。言い換えれば、トラッキングサーボにかかる読取位置が、急峻なペースで径方向に変位する（即ち、主要エリアにおけるのと比べて周方向（接線方向）に対して大きな角度をなす）トラック部分を斜めに横切って、トラック１周分だけ概ね真っ直ぐに前記他方側へ突き抜け、隣接トラックへと跳び移る。その後、切替エリアを通過して主要エリアに戻ることで、トラッキングサーボが再びクローズされて、トラックオンの状態が回復される。よって、第１光ビームが切替エリアを通過する際に、半径位置は略同一のため、同一トラック上を恰も追従しているように動作する。
【００８９】
他方で、例えば外周側から内周側へ向う復路記録などの、前記他方側へ向けて記録を行う場合、主要エリア及び切替エリアの両方で、トラッキングサーボがクローズの状態とされることで、第１光ビームの読取位置がトラックを追従する。即ち、通常のスパイラルトラックでのトラッキング動作と同様に、普通にトラッキングを実行可能となる。
【００９０】
これらの結果、所望の記録層に対して、内周側から外周側へ向う往路記録及び外周側から内周側へ向う復路記録の両者について、情報が記録されることになる。
【００９１】
このように、上述した実施形態の情報記録媒体における記録層に対し、ガイド層にあるシングルスパイラルのトラック上で内周側から外周側へ向う及び外周側から内周側へ向うトラッキング制御の両者を好適に実行して、例えばコンテンツ情報、ユーザ情報等の記録すべき情報を、高密度にて記録可能となる。
【００９２】
なお、切替エリアではトラックが急峻なペースで径方向に変位しているので、仮に切替エリアで、トラックジャンプ（即ち、一のトラック上にある現在の読取位置を、別のトラックである目標トラック上へと移動させる動作）を行ったとすると、トラック横切り信号が主要エリアにおけるほどに良好に得られない。このため、切替エリアでは、トラックジャンプにおけるジャンプ先が見つかる可能性が低くなる。よって、切替エリアではトラックジャンプを行うことなく、主要エリア内にてトラックジャンプを行うようにすると有利である。
（情報記録方法）
＜１３＞
本実施形態の情報記録方法は上記課題を解決するために、上述した実施形態の情報記録媒体（但し、その各種態様を含む）に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、前記トラッキングサーボがかけられている際に、前記一の記録層に前記第２光ビームを照射し且つ集光することで、前記データを記録するように前記光照射手段を制御するデータ記録制御工程とを備える。前記トラッキングサーボ工程は、前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。
【００９３】
本実施形態の情報記録方法によれば、上述した実施形態の情報記録装置の場合と同様に作用し、最終的には、上述した実施形態の情報記録媒体における記録層に対し、ガイド層にあるシングルスパイラルのトラック上で内周側から外周側へ向う及び外周側から内周側へ向うトラッキング制御の両者を好適に実行して、例えばコンテンツ情報、ユーザ情報等の記録すべき情報を、高密度にて記録可能となる。
（情報再生装置）
＜１４＞
本実施形態の情報再生装置は上記課題を解決するために、上述した実施形態の情報記録媒体（但し、その各種態様を含む）から、データを再生する情報再生装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、前記トラッキングサーボがかけられている際に、前記一の記録層からの前記照射され且つ集光された第２光ビームに基づく第２光を受光し、該受光された第２光に基づき前記データを取得するデータ取得手段とを備える。前記トラッキングサーボ手段は、前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。
【００９４】
本実施形態の情報再生装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【００９５】
すると、第１光ビームに基づく、ガイド層からの反射光、散乱光、屈折光、透過光等である第１光が、例えば受光手段により受光され、この受光された第１光に基づき、基本的に、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御される。
【００９６】
このように所定の帯域でトラッキングサーボがかけられている或いはトラッキングサーボが閉じられた状態で、例えばプロセッサ等のデータ取得手段による制御下で、第２光ビームが、光照射手段により、所望の記録層に照射され且つ集光される。第２光ビームは、情報記録の高密度再生を狙って、前述したように例えば青色レーザ光ビームの如くスポット径が相対的に小さい光ビームであってよい。
【００９７】
ここで特に、一方で、例えば内周側から外周側へ向う往路再生などの、前記一方側へ向けて再生を行う場合、主要エリアでは、トラッキングサーボがクローズの状態とされることで、第１光ビームの読取位置がトラックを追従する。これに対して、切替エリアでは、トラッキングサーボがオープン(ホールド)の状態とされることで、第１光ビームの読取位置がトラック１周分だけ前記他方側へ導かれる。言い換えれば、トラッキングサーボにかかる読取位置が、急峻なペースで径方向に変位する（即ち、主要エリアにおけるのと比べて周方向（接線方向）に対して大きな角度をなす）トラック部分を斜めに横切って、トラック１周分だけ概ね真っ直ぐに前記他方側へ突き抜け、隣接トラックへと跳び移る。その後、切替エリアを通過して主要エリアに戻ることで、トラッキングサーボが再びクローズされて、トラックオンの状態が回復される。よって、第１光ビームが切替エリアを通過する際に、半径位置は略同一のため、同一トラック上を恰も追従しているように動作する。
【００９８】
他方で、例えば外周側から内周側へ向う復路再生などの、前記他方側へ向けて再生を行う場合、主要エリア及び切替エリアの両方で、トラッキングサーボがクローズの状態とされることで、第１光ビームの読取位置がトラックを追従する。即ち、通常のスパイラルトラックでのトラッキング動作と同様に、普通にトラッキングを実行可能となる。
【００９９】
これらの結果、所望の記録層において、内周側から外周側へ向う往路再生及び外周側から内周側へ向う復路再生の両者について、記録済情報が再生されることになる。
【０１００】
このように、上述した実施形態の情報記録媒体における記録層から、ガイド層にあるシングルスパイラルのトラック上で内周側から外周側へ向う及び外周側から内周側へ向うトラッキング制御の両者を好適に実行して、例えばコンテンツ情報、ユーザ情報等の記録済情報を、高密度にて再生可能となる。
【０１０１】
なお、ガイド層によるトラッキングを利用することなく、即ち第１光ビームを利用することなく、専ら第２光ビームにより、記録済の記録情報の配列或いは連なりからなる情報トラックに対してトラッキングを行いつつ、該情報トラックから情報を再生することも可能である。即ち、情報再生時には、第２光ビームのみを利用し、情報記録時には第１及び第２光ビームの両方を利用するという、記録及び再生の別に応じて、光ビームを使い分けるように情報再生装置を構築することも可能である。情報再生時には、第２光ビームのみが使用されるので、相対的に（即ち、再生時にも第１光ビームを使用する場合に比較して）低消費電力且つ単純な制御にて、再生を実行可能となる。特に、情報再生装置を、情報記録時と情報再生時とで光ビームの使い分けをする、記録機能をも備えた「情報記録再生装置」として実現すれば、実践上非常に有利となる。
（情報再生方法）
＜１５＞
本実施形態の情報再生方法は上記課題を解決するために、上述した実施形態の情報記録媒体（但し、その各種態様を含む）から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、前記トラッキングサーボがかけられている際に、前記一の記録層からの前記照射され且つ集光された第２光ビームに基づく第２光を受光し、該受光された第２光に基づき前記データを取得するデータ取得工程とを備える。前記トラッキングサーボ工程は、前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、略同一半径となるトラック上に位置するように前記光照射手段を制御し、前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する。
【０１０２】
本実施形態の情報再生方法によれば、上述した実施形態の情報再生装置の場合と同様に作用し、最終的には、上述した実施形態の情報記録媒体における記録層から、ガイド層にあるシングルスパイラルのトラック上で内周側から外周側へ向う及び外周側から内周側へ向うトラッキング制御の両者を好適に実行して、例えばコンテンツ情報、ユーザ情報等の記録済情報を、高密度にて再生可能となる。
【０１０３】
本実施形態のこのような作用及び他の利得は次に説明する実施例から明らかにされる。
【０１０４】
以上説明したように、本実施形態に係る情報記録媒体によれば、ガイド層と複数の記録層とを備え、ガイド層は主要エリア及び切替エリアを有するので、ガイド層にあるシングルスパイラルのトラック上で内周側から外周側へ向う及び外周側から内周側へ向うトラッキング制御の両者を可能ならしめる。その製造も容易となる。
【０１０５】
本実施形態に係る情報記録媒体の製造方法によれば、第１制御工程と第２制御工程とを備えるので、上述の本実施形態に係る情報記録媒体を容易にして製造できる。
【０１０６】
本実施形態に係る情報記録装置によれば、光照射手段とトラッキングサーボ手段とデータ記録制御手段とを備え、本実施形態に係る情報記録方法によれば、トラッキングサーボ工程とデータ記録制御工程とを備えるので、上述した実施形態の情報記録媒体における記録層に対し、シングルスパイラルのトラック上で内周側から外周側へ向う及び外周側から内周側へ向うトラッキング制御の両者を好適に実行して、例えばコンテンツ情報、ユーザ情報等の記録すべき情報を、高密度にて記録可能となる。
【０１０７】
本実施形態に係る情報再生装置によれば、光照射手段とトラッキングサーボ手段とデータ取得手段とを備え、本実施形態に係る情報再生方法によれば、トラッキングサーボ工程とデータ取得工程とを備えるので、上述した実施形態の情報記録媒体における記録層から、シングルスパイラルのトラック上で内周側から外周側へ向う及び外周側から内周側へ向うトラッキング制御の両者を好適に実行して、記録済情報を高密度にて再生可能となる。
【実施例】
【０１０８】
以下、図面を参照しながら、本発明の各種実施例について説明する。尚、以下では、本発明に係る情報記録媒体を、多層記録型の光ディスクに適用した例について説明する。
＜情報記録媒体の実施例＞
初めに、図１から図１４を参照して、本発明に係る情報記録媒体の一例である多層記録型の光ディスクの実施例について説明する。【０１０９】
先ず、図１及び図２を参照して、本実施例に係る光ディスク１１の基本構成（主に物理的な構造）及び基本原理について説明する。【０１１０】
図１において、光ディスク１１は、多層記録型であり、単一のガイド層１２と複数の記録層１３とを備える。ここに図１は、図中左半面に図示された一枚の光ディスク１１を構成する複数の層を、図中右半面にて、その積層方向（図１中、上下方向）について相互に間隔をあけて分解することで、各層を見易くしてなる模式的な斜視図である。【０１１１】
光ディスク１１に対しては、その記録時に、記録用同期クロックの発生用であり且つトラッキングサーボ用であると共に本発明に係る「第１光ビーム」の一例たる第１ビームＬＢ１と、情報記録用であると共に本発明に係る「第２光ビーム」の一例たる第２ビームＬＢ２とが同時に照射される。その再生時に、第１ビームＬＢ１と、情報再生用である第２ビームＬＢ２とが同時に照射される。なお、情報再生時には、第２ビームＬＢ２を、トラッキングサーボ用であり且つ情報再生用である、単一の光ビームとして利用すること（即ち、第１ビームＬＢ１を使用しないこと）も、可能である。【０１１２】
光ディスク１１はＣＬＶ方式であり、同心円状又は螺旋状のトラックＴＲに予め記録されており、情報記録時又は再生時に検出される、記録用同期クロック、トラッキングエラー信号（或いはその元となるウォブル信号）、アドレス情報（或いはその元となるプリピット信号）等は、ＣＬＶ方式に準拠してトラックに沿って配列されている。図１中、右半面に示されているように、第１ビームＬＢ１は、ガイド層１２に集光され、トラックＴＲ（即ち、ガイドトラック）を追従するように、トラッキング制御される。【０１１３】
図２に示すように、第２ビームＬＢ２は、ガイド層１２上に積層された複数の記録層１３のうち記録対象又は再生対象たる、所望の一つの記録層１３に集光される。第２ビームＬＢ２は、例えばＢＲ（ブルーレイ）ディスクと同じく比較的小径の青色レーザビームである。これに対して、第１ビームＬＢ１は、例えばＤＶＤと同じく比較的大径の赤色レーザビームである。第１ビームＬＢ１により形成される光スポットの径は、第２ビームＬＢ２により形成される光スポットの径と比べて、例えば数倍程度となる。【０１１４】
複数の記録層は、例えば１６層など、各々に独立して情報を光学的に記録可能、更に再生可能となるように構成される。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。【０１１５】
２光子吸収材料を利用した光ディスク構造としては、(i)光ディスク１１の全体が２光子吸収材料からなるバルク型と(ii)２光子吸収材料の記録層及び別の透明材料のスペーサ層を交互に積層した層構造型とがある。層構造型は、記録層１３及びスペーサ層間の界面で反射される光を利用してフォーカスサーボ制御が可能となる利点がある。バルク型は、多層成膜工程が少なく、製造コストを抑えられる利点がある。【０１１６】
記録層１３の材料としては、第２ビームＬＢ２の波長及び強度の少なくとも一方に応じて感応し、屈折率、透過率、吸収率、反射率などの光学特性が変化することで、記録可能であると共に、安定な材料であればよい。例えば、光重合反応を生じるフォトポリマー、光異方性材料、フォトリフラクティブ材料、ホールバーニング材料、光を吸収して吸収スペクトルが変化するフォトクロミック材料など、透光性或いは半透明の光感応材料が、考えられる。例えば、記録層１３としては、波長λ２の第２ビームＬＢ２に感応するともに波長λ１（λ２＜λ１）の第１ビームＬＢ１に感応しない相変化材料、２光子吸収材料などが用いられる。【０１１７】
複数の記録層１３は夫々、上述の２光子吸収材料、相変化材料以外にも、例えば色素材料等であってもよい。複数の記録層１３は夫々、未記録状態では、トラックＴＲは予め形成されておらず、例えば全域が鏡面或いは凹凸のない平面とである。【０１１８】
以下に説明する実施例では、説明の便宜上、グルーブトラックＧＴ及びランドトラックＬＴは、ストレート構造を有するが（図９、図１３、図１４等の図示参照）、これらのトラックには、ウォブリングが適宜に施されていてよい。例えば、グルーブトラックＧＴ又はランドトラックＬＴは夫々、例えば光反射性の材料からなる薄膜である反射膜が、凹凸溝が形成された基材としての透明膜上に成膜され、更に保護膜としての透明又は不透明な膜で埋められることで形成されてよい。このようなグルーブやランドの側壁に、ウォブリングが施されていてよい。更に、ガイド層１２（図１参照）に設けられるグルーブトラックには、例えば、一部切欠き構造からなるグルーブノッチが作り込まれてもよい。切欠きとは、グルーブトラックの一つのトラック幅に渡って切り欠かれてなる鏡面である。ランドパートには、ランドプリピット、ランドノッチ等が作り込まれてもよい。加えて、プリピットが何ら形成されていないランドパートについても、適宜に、プリピットが形成されてもよい。【０１１９】
なお、ガイド層１２のトラックＴＲに沿った記録層１３上における記録済データの配列（以下適宜、単に「記録済情報トラック」と称する）は、物理的には、記録時に第２ビームＬＢ２の照射により記録層１３の記録面に形成された、蛍光強度が変化した部分、屈折率が変化した部分、相変化部分、色素変化部分などの、ガイド層１２のトラックＴＲに沿った一連のつらなりと言える。【０１２０】
このような複数の記録層１３がガイド層１２上に積層された光ディスク１１に対し、少なくとも情報記録時には、光ピックアップが有する共通の対物レンズ１０２Ｌを介して、これらの径及び焦点深度が相異なる第１ビームＬＢ１及び第２ビームＬＢ２が、ほぼ又は実践上完全に同軸的に照射される。【０１２１】
図１及び図２において、第２ビームＬＢ２についての、記録用同期クロックに基づくタイミングの生成及びトラッキング動作は、（特に記録時には記録層１３上に何らのトラックも存在しないので）第１ビームＬＢ１によるガイド層１２のトラックＴＲに対する、タイミング生成及びトラッキング動作により、間接的になされる。即ち、第１ビームＬＢ１と第２ビームＬＢ２とは、対物レンズ１０２Ｌ等の共通の光学系（言い換えれば、照射される光ビーム間の位置関係が固定された光学系）を介して、照射される。このため、第１ビームＬＢ１の光ディスク１１の面内におけるタイミング生成や位置決めが、そのまま第２ビームＬＢ２の光ディスク１２の面内（即ち、各記録層１３の記録面内）におけるタイミング生成や位置決めとして、利用できる訳である。【０１２２】
ガイド層１２のトラックＴＲには、記録用同期クロック（或いはその元になるタイミング信号）、トラッキングエラー信号（或いはその元となるウォブル信号などのトラッキングエラーを発生させるための信号）及びプリピット信号を担持する物理構造を夫々有する、複数のサーボ用領域が、配置されている。ここに、記録用同期クロックは、本発明に係る「ガイド用のガイド情報の一種類であるタイミング情報」の一例を構成し、トラッキングエラー信号及びプリピット信号は、本発明に係る「ガイド用のガイド情報」の一例を構成する。更に、後述のアドレスが、本発明に係る「ガイド用のガイド情報の他の種類であるアドレス情報」の一例を構成する。【０１２３】
このようにガイド層１２のトラックＴＲが、記録用同期クロック（或いは、その元になる信号）、トラッキングエラー信号（或いはその元となるウォブル信号）を担持する。【０１２４】
次に、図３〜図８を参照して、本発明に係る「切替エリア」による切り替えの基本原理について説明する。ここに図３は、本実施例における、ガイド層１２上における第１切替エリアを含む第１特定領域ＳＲ１及び第２切替エリアを含む第２特定領域ＳＲ２の配置を示す。図４は、グルーブトラックＧＴにおける、切り替えの基本原理を示し、図５は、ランドトラックＬＴにおける、切り替えの基本原理を示し、図６は、ランド／グルーブトラックにおける、切り替えの基本原理を示す。図７は、内周側から外周側へ向う往路記録の際の記録位置が移動する様子を示し、図８は、外周側から内周側へ向う復路記録の際の記録位置が移動する様子を示す。【０１２５】
図３において、ガイド層１２には、図中右寄りに位置する略同一位相の細長い扇形領域に、第１特定領域ＳＲ１が形成されており、図中左寄りに位置する略同一位相の細長い扇形領域に、第２特定領域ＳＲ２が形成されている。第１特定領域ＳＲ１及び第２特定領域ＳＲ２には夫々、切り替エリアが含まれており、更に、後述の如き本発明に係る「開始告知エリア」や「終了告知エリア」の一例を構成するＳＹＮＣエリア等が適宜含まれている。ガイド層１２の面内全域における、これら特定領域を除く領域は、本発明に係る「主要エリア」の一例を構成している。【０１２６】
図４に示すように、シングルスパイラルのガイドトラックＧＴは、図４中央の両側向きの白抜矢印の左側に図示したように、トラッキングサーボをクローズしたまま（即ち、トラッキングサーボを中段のグルーブトラックＧＴにかけたまま）であれば、その区間５００において局所的に左下から右上へと斜め径方向に急峻に変位するようにＳ字状に形成されていても、湾曲した矢印ＡＲ１で示したように、第１光ビーム（第１光スポット）はオントラック状態のまま追従可能とされている。【０１２７】
これに対して、図４中央の両側向きの白抜矢印の右側に図示したように、トラッキングサーボをオープン(ホールド)とすると、その区間５００において、直線状の矢印ＡＲ２で示したように、第１光ビーム（第１光スポット）は真っ直ぐに突き抜ける形でグルーブトラックＧＴを横切って、トラック一周分だけ異なるトラック部分へと導かれる。言い換えれば、区間５００における、グルーブトラックＧＴの曲がり方或いは局所的なＳ字状における湾曲の度合いは、区間５００に突入する際にトラッキングサーボがクローズだと矢印ＡＲ１のように追従可能であり、且つトラッキングサーボがオープン(ホールド)だと矢印ＡＲ２のように導かれる程度に、設定されている。【０１２８】
図５に示すように、シングルスパイラルのランドトラックＬＴが設けられている場合にも同様に、トラッキングサーボをクローズしたままであれば、矢印ＡＲ１で示したように、トラッキング位置はオントラック状態のまま追従可能とされている。これに対して、トラッキングサーボをオープン(ホールド)とすると、矢印ＡＲ２で示したように、トラッキング位置は、トラック一周分だけ異なるトラック部分へと導かれる。【０１２９】
図６に示すように、シングルスパイラルのランド／グルーブトラック（即ち、周回毎にランドトラックＬＴとグルーブトラックＧＴとが交互に設けられているトラック）が設けられている場合にも同様に、トラッキングサーボをクローズしたままであれば、矢印ＡＲ１で示したように、トラッキング位置はオントラック状態のまま追従可能とされている。これに対して、トラッキングサーボをオープン(ホールド)とすると、矢印ＡＲ２で示したように、トラッキング位置は、トラック一周分だけ異なるトラック部分へと導かれる。特に、この場合、区間５００を介してグルーブトラックＧＴからこれに隣接するランドトラックＬＴへと導かれる。或いは、区間５００を介してランドトラックＬＴからこれに隣接するグルーブトラックＧＴへと導かれる。【０１３０】
本実施例では、図４〜図６に示した原理を利用する。即ち、図４〜図６に示した区間５００の如きＳ字状のトラック部分を、切替エリア５００として、図３に示した第１特定領域ＳＲ１及び第１特定領域ＳＲ１に夫々作り込む。【０１３１】
図７において、実線及び点線で示した周回毎に交互に形成されたランド／グルーブトラックの場合に、内周側から外周側へと向う往路記録の際には、記録位置（即ち、ガイド層１２上におけるトラッキング位置）は、ランド／グルーブトラックに沿って、周回毎に１トラック分だけ外周側へ変位する。図中、番号入りの白抜き矢印（即ち、矢印“１”、矢印“２”、矢印“３”、…）にて順次、そのような記録位置が移動する様子を示している。【０１３２】
この場合には、第２特定領域ＳＲ２では、特定領域ＳＲ２を介して連続している同一種類のトラック上へと、追従が単純に続行される。第１特定領域ＳＲ１では、特定領域ＳＲ１を介して連続している相異なる種類のトラック上へと追従が行われる。即ち、第１特定領域ＳＲ１付近にて、グルーブトラックＧＴはランドトラックＬＴへと一本の螺旋をなしたまま連続しており、ランドトラックＬＴはグルーブトラックＧＴへと一本の螺旋をなしたまま連続している。【０１３３】
図８において、図７と同じく実線及び点線で示した周回毎に交互に形成されたランド／グルーブトラックの場合に、外周側から内周側へと向う復路記録の際には、記録位置（即ち、ガイド層１２上におけるトラッキング位置）は、第１特定領域ＳＲ１及び第２特定領域にて夫々１トラック分だけ内周側へ変位する（図６の右側参照）。図中、番号入りの白抜き矢印（即ち、矢印“１”、矢印“２”、矢印“３”、…）にて順次、そのような記録位置が移動する様子を示している。【０１３４】
この場合には、第２特定領域ＳＲ２では、相異なる種類のトラック上へと、トラッキングの追従対象となるトラックの切り替えが行われる。即ち、第２特定領域ＳＲ２付近にて、グルーブトラックＧＴから、トラック一周回分だけ内側のランドトラックＬＴへと追従対象となるトラックが切り替えられる。ランドトラックＬＴから、トラック一周回分だけ内側のグルーブトラックＧＴへと追従対象となるトラックが切り替えられる（図６の右側参照）。【０１３５】
他方で、第１特定領域ＳＲ１では、同一種類のトラック上へと、トラッキングの追従対象となるトラックの切り替えが行われる。即ち、第１特定領域ＳＲ１付近にて、グルーブトラックＧＴから、トラック一周回分だけ内側のグルーブトラックＧＴへと追従対象となるトラックが切り替えられる。ランドトラックＬＴから、トラック一周回分だけ内側のランドトラックＬＴへと追従対象となるトラックが切り替えられる（図６の右側参照）。【０１３６】
なお図７及び図８から明らかなように、復路記録の際に、螺旋による外周側への変位に対抗してトラッキング位置を内周側へ変位させるためには、切替エリア５００を周回毎に二箇所設けるのがよい。【０１３７】
次に、以上の如き基本原理を有する切替エリアを含む特定領域の詳細な構成について、図９〜図１２を参照して説明する。ここに図９は、本実施例における、第１切替エリア及び開始ＳＹＮＣエリアを含む、第１特定領域の一例を示す。図１０は、本実施例における、第１切替エリア並びに開始ＳＹＮＣエリア及び終了ＳＹＮＣエリアを含む、第１特定領域の他の例を示す。図１１は、本実施例における、第２切替エリア並びに開始ＳＹＮＣエリア及び終了ＳＹＮＣエリアを含む、第２特定領域の一例を示す。図１２は、本実施例における、スロットに適応させたグループ内に記録されるデータの構成例を示す。【０１３８】
なお図９〜１１、１３及び１４中、記録位置或いはトラッキング位置（即ち、図１及び図２に第１光ビームＬＢ１により形成される光スポットの位置）の相対的な移動方向（即ち、記録方向）は、左側から右側へ向っている。色濃い領域は、グルーブＧに対応して凹になっている領域を示している。例えば、色濃い領域は、紙面に対して凹であるとして捉えてもよいし、又は紙面に対して凸であるとして捉えてもよい。ランドＬとグルーブＧとの凹凸は相対的なものであり、基板本体に対して凹となる方がグルーブＧを意味するのが基本であり、光ビームが照射される側から見て凹となる方が必ずしもグルーブという訳ではない。【０１３９】
図９において、第１特定領域ＳＲ１は、第１切替エリアＳＷＲ１と、第１切替エリアＳＷＲ１が直ぐに到来する旨を示す開始ＳＹＮＣエリアＳＹＲ１とを含む。第１特定領域ＳＲ１を除くエリアである主要エリアでは、グルーブトラックＧ及びランドトラックに、ガイド情報を示すピットが形成されている。【０１４０】
開始ＳＹＮＣエリアＳＹＲ１は、ランドＬにストレートランド構造が構築され且つグルーブＧが高密度で短いピットの形成されることからなる所定パターンが、作り込まれている。このようなパターンであれば、主要エリアに発生しない独自の或いは固有のパターンとして、開始ＳＹＮＣエリアＳＹＲ１として容易に且つ確実に検出され得る。即ち、読取位置が、第１特定領域ＳＲ１に入ったという事実と直後に第１切替エリアＳＷＲ１が到来する旨とを告知できる。【０１４１】
第１切替エリアＳＷＲ１は、ランド及びグルーブ共に、斜めＳ字をなすストレート構造を有する独自の或いは固有のパターンとして、少なくとも、読取位置が第１切替エリアＳＷＲ１を通過して次の主要エリアに再び突入した際に、その旨を告知できる。言い換えれば、第１切替エリアＳＷＲ１のパターン自体又はその後半部若しくは終了部付近のパターンによって、第１切替エリアＳＷＲ１が終了する旨を告知してもよい。【０１４２】
図９において、第１特定領域ＳＲ１は、記録層１３に記録されることになるデータのフォーマットを構成する最小単位（言い換えれば、ガイド層１２におけるプリフォーマットを構成する最小単位）と整数比の関係を有する。【０１４３】
図１０及び図１１は、一つのガイド層１２に設けられる特定領域の対を示している。【０１４４】
図１０において、第１特定領域ＳＲ１は、第１切替エリアＳＷＲ１と、第１切替エリアＳＷＲ１が直ぐに到来する旨を示す開始ＳＹＮＣエリアＳＹＲ１と、第１切替エリアＳＷＲ１が終了した旨を示す終了ＳＹＮＣエリアＳＹＲ３とを含む。【０１４５】
開始ＳＹＮＣエリアＳＹＲ１は、ランドにストレートランド構造が構築され且つグルーブが高密度で短いピットの形成されることからなる所定パターンが、作り込まれている（或いは、グルーブにストレートグルーブ構造が構築され且つランドが高密度で短いピットの形成されることからなる所定パターンが、作り込まれていてもよい）。【０１４６】
第１切替エリアＳＷＲ１は、ランド及びグルーブ共に、斜めＳ字をなすストレート構造を有する。【０１４７】
終了ＳＹＮＣエリアＳＹＲ３は、ランドＬにストレートランド構造が構築され且つグルーブＧが低密度で長いピットの形成されることからなる所定パターンが、作り込まれている（或いは、グルーブにストレートグルーブ構造が構築され且つランドが低密度で長いピットの形成されることからなる所定パターンが、作り込まれていてもよい）。このようなパターンであれば、主要エリアに発生しない独自の或いは固有のパターンとして、終了ＳＹＮＣエリアＳＹＲ３が、容易に且つ確実に検出され得る。即ち、終了ＳＹＮＣエリアＳＹＲ３は、読取位置が第１切替エリアＳＷＲ１が終了した旨を告知できる。【０１４８】
図１０において、例えば復路記録時に、トラッキングサーボがクローズのままとされるので、第１切替エリアＳＷＲ１を介して、記録位置は、グルーブトラックからグルーブトラックへと追従され、ランドトラックからランドトラックへと追従される。【０１４９】
図１１において、第１特定領域ＳＲ１は、第２切替エリアＳＷＲ２と、第２切替エリアＳＷＲ２が直ぐに到来する旨を示す開始ＳＹＮＣエリアＳＹＲ２と、第２切替エリアＳＷＲ２が終了した旨を示す終了ＳＹＮＣエリアＳＹＲ４とを含む。【０１５０】
開始ＳＹＮＣエリアＳＹＲ２は、ランドにストレートランド構造が構築され且つグルーブが高密度で短いピットの形成されることからなる所定パターンが、作り込まれている（或いは、グルーブにストレートグルーブ構造が構築され且つランドが高密度で短いピットの形成されることからなる所定パターンが、作り込まれていてもよい）。【０１５１】
第２切替エリアＳＷＲ２は、ランド及びグルーブ共に、斜めＳ字をなすストレート構造を有する。【０１５２】
終了ＳＹＮＣエリアＳＹＲ４は、ランドＬにストレートランド構造が構築され且つグルーブＧが低密度で長いピットの形成されることからなる所定パターンが、作り込まれている（或いは、グルーブにストレートグルーブ構造が構築され且つランドが低密度で長いピットの形成されることからなる所定パターンが、作り込まれていてもよい）。このようなパターンであれば、主要エリアに発生しない独自の或いは固有のパターンとして、終了ＳＹＮＣエリアＳＹＲ４が、容易に且つ確実に検出され得る。即ち、終了ＳＹＮＣエリアＳＹＲ４は、読取位置が第２切替エリアＳＷＲ２が終了した旨を、告知できる。【０１５３】
図１１において、例えば往路記録時に、トラッキングサーボが一時的にオープン(ホールド)とされるので、第２切替エリアＳＲ２を介して、記録位置は、グルーブトラックからグルーブトラックへと、トラックを斜めに横切る形で誘導或いはトレースされ、ランドトラックからランドトラックへと、トラックを斜めに横切る形で誘導或いはトレースされる。【０１５４】
図１０及び図１１に示したように、開始ＳＹＮＣエリアＳＹＲ１及び開始ＳＹＮＣエリアＳＹＲ２とは、相互に異なるパターンとして構築されており、直後の切替にて、追従対象であるトラックの種類に変化がないのか（即ち、第１特定領域ＳＲ１に突入するのか）又は変化があるのか（即ち、第２特定領域ＳＲ２に突入するのか）が、事前に認識され、ランド／グルーブの切り替え動作を適切なタイミングで実行できる。【０１５５】
なお、図１０及び図１１に示したように、第１特定領域ＳＲ１において、開始ＳＹＮＣエリアＳＹＲ１及び終了ＳＹＮＣエリアＳＹＲ３とは、相互に異なるパターンとして構築されており、第２特定領域ＳＲ２において、開始ＳＹＮＣエリアＳＹＲ２及び終了ＳＹＮＣエリアＳＹＲ４とは、相互に異なるパターンとして構築されている。【０１５６】
次に、ガイド層におけるプリフォーマット及びデータのアサインについて図１２を参照して、説明する。ここに、図１２は、スロットを採用する場合の、ガイド層１２のトラックＴＲにおけるプリフォーマットの一具体例を示す。この例は、３アドレス構成の場合の１ＲＵＢの単位での構成例である。【０１５７】
なお「スロット」とは、トラックがトラック方向に区分されてなる論理的な区画若しくは区分、又は物理的な区画若しくは区分である。スロットは、典型的には、トラック方向に隙間無く連続して配列されており且つ径方向にも隙間なく或いは相隣接して配列されている。但し、スロットは、トラック方向及び径方向の少なくとも一方については、若干の隙間をあけて配列されてもよい。言い換えれば、ガイド層１２にて、予めトラック方向に並べられるように作り込まれた複数のスロットにおける、配列、或いは連なりから、トラックが構築される。【０１５８】
図１２において、１つのＲＵＢは、ＢＤ−Ｒ（Ｂｌｕｅ ｒａｙ Ｄｉｓｃ−Ｒｅｃｏｒｄａｂｌｅ：一回記録可能なブルーレイディスク）のフォーマットに相当して構成されている。【０１５９】
具体的には、１つのＲＵＢは、物理的には、（２４８×（２×２８））個の物理クラスター（Ｐｈｙｓｉｃａｌ Ｃｌｕｓｔｅｒ）から構成され、論理的には、三つのＡＤＩＰワード（ＡＤＩＰ word ＮＯ．１〜ＮＯ．３）から構成される。即ち、３アドレス構成とされている。【０１６０】
１つのＡＤＩＰワードは、８３個のＡＤＩＰ単位（ＡＤＩＰ ｕｎｉｔｓ）から構成される。１つのＡＤＩＰ単位は、５６ｗｂｌ（ウォブル）から構成され、これは２つの記録フレーム（Ｒｅｃｏｒｄｉｎｇ ｆｒａｍe）に相当する。記録されるデータは、１５個のコードワード（ｃｏｄｅ ｗｏｒｄ）、即ち９ｎｉｂｂｌｅｓ（ニブル）の単位となる。従って、１つのＲＵＢは、１３９４４ウォブルに相当する区間となる。【０１６１】
図１２に示した通り、各アドレスサブユニットは、４つのスロット（Ｓｌｏｔ）を１つのグループ（Ｇｒｏｕｐ）として、多数のグループから構成されている。１つのグループは、４スロットに相当するので、合計で、（１９＋２）×４＝８４ｗｂｌから構成されている。【０１６２】
なお、本実施例では、各スロットの先頭部にある２ｕｎｉｔｓは、緩衝領域２１Ｇ，２１Ｌに割り当てられる。緩衝領域２１Ｇ，２１Ｌは、鏡面構造を有する領域、又は、ストレートグルーブ若しくはストレートランド構造を有する領域である。緩衝領域２１は、トラック方向に、複数のマーク領域（図１２中、濃い色で塗られた領域）の各々における先頭部の前に夫々隣接配置されている。緩衝領域２１Ｇ，２１Ｌは、隣接するマーク領域と同一スロット内に配置され、マーク領域の最後部の後ろの緩衝領域２１Ｇ，２１Ｌは、この同一スロットに後続するスロット内に配置されている。緩衝領域２１Ｇ，２１Ｌにおける緩衝作用によって、情報記録時等にサーボ系において、マーク領域からの信号検出に対する準備期間が与えられる。【０１６３】
よって、本例では、１つのＲＵＢの長さは、（８４×８３）×４÷２＝１３９４４より、１３９４４ｗｂｌに相当している。また、本例では、各スロットの先頭に位置する緩衝領域２１Ｇ，２１Ｌの長さは、１つのウォブルＤに相当し、Ｄ＝１ｗｂｌ＞１．２μｍ（光スポットの最大径）とされている。【０１６４】
図１２において、１スロット内におけるデータのアサイン（割り当て）の一例では、１スロットは、（１９＋２）＝２１ｕｎｉｔｓから構成されており、最初の２ｕｎｉｔｓが、緩衝領域２１Ｇ，２１Ｌに割り当てられ、続く３ｕｎｉｔｓがＳＹＮＣ信号（即ち、ガイド情報を検出可能とするシンク信号）に割り当てられる。続く１６ｕｎｉｔｓ（即ち、１Ｂｙｔｅｓ＝８ｂｉｔｓ  ＤＡＴＡ（１ｂｉｔ／２ｕｎｉｔｓ）が、データ（即ち、制御用データ、アドレスデータなど）に割り当てられる。【０１６５】
このように本実施例のプリアドレス構成については、１Ｒｅｃｏｒｄｉｎｇ  Ｕｎｉｔ  Ｂｌｏｃｋ相当に対して、３アドレス構成である。各々のアドレスは、８３ｓｕｂ−ｕｎｉｔｓにより構成される。アドレスデータ２４ｂｉｔｓ＋Ａｕｘ  Ｄａｔａ＋ＥＣＣｃｏｄｅにより構成される。ここに１Ｓｌｏｔ  Ｄａｔａ×８３Ｕｎｉｔｓ＝１Ｂｙｔｅ×８３＝８３Ｂｙｔｅｓである。【０１６６】
因みに、ＥＣＣブロックの構成については、例えば、４８Ｂｙｔｅｓ  ｒａｗ  ｄａｔa＋３５ＢｙｔｅｓをＥＣＣコードとして利用する。【０１６７】
例えば、符号Ｃ０、…、Ｃ８２(Ｐａｒｉｔｙ  Ｃ４８、…、Ｃ８２)について、以下のように、Ｒｅｅｄ‐Ｓｏｌｏｍｏｎコードを生成する。【０１６８】
【数１】
2011158379.tif 000003
＝{Ｉ(Ｘ)・Ｘ}ｍｏｄ{ＧＥ(Ｘ)}【０１６９】
【数２】
2011158379.tif 000004
【０１７０】
【数３】
2011158379.tif 000005
ここで、αは、原始元
Ｇｐ(ｘ)＝Ｘ８＋Ｘ４＋Ｘ３＋Ｘ２＋１
次に、図１３及び図１４を参照して、上述のように構成された特定領域を有するガイド層を利用して、記録が行われる際の、基本動作について説明する。ここに図１３は、本実施例における、第１切替エリア及び開始ＳＹＮＣエリアを含む、第１特定領域の他の例を示す。図１４は、本実施例における、第２切替エリア並びに開始ＳＹＮＣエリアを含む、第２特定領域の他の例を示す。なお図１３に示される第１特定領域及び図１４に示される第２特定領域は、同一のガイド層１２に一対の特定領域として形成される（図３等参照）。【０１７１】
先ず、内周側から外周側へ向けて記録層１３への記録又は再生（即ち、往路記録又は往路再生）の際における、基本動作について図１３及び図１４を参照して説明する。【０１７２】
図１３において、第１特定領域の前後において、略同半径にランド／グルーブ（シングルスパイラル）切り替え部分を兼ねる。後に詳述する情報記録再生装置では、その記録動作時又は再生動作時に、第１特定領域内の開始ＳＹＮＣエリアＳＹＲ１を検出することで、その後に第１切替エリアＳＷＲ１のタイミングを計ることができる。【０１７３】
この第１切替エリアＳＷＲ１では、情報記録再生装置は、トラッキングをホールド動作とし、且つ、ランド／グルーブトラッキング切り替え準備を行う。その後、情報記録再生装置は、第１切替エリアＳＷＲ１が終了した時点でスムーズに、トラッキング極性を切り替える。【０１７４】
図１４において、第２特定領域の前後において、ランド／グルーブ（シングルスパイラル）は略同半径（そのまま）に位置し、後に詳述する情報記録再生装置では、その記録動作時又は再生動作時に、第２特定領域内の開始ＳＹＮＣエリアＳＹＲ２を検出することで、その後に第２切替エリアＳＷＲ２のタイミングを計ることができる。【０１７５】
この第２切替エリアＳＷＲ２では、情報記録再生装置は、トラッキングをホールド動作とする。その後、情報記録再生装置は、第２切替エリアＳＷＲ２が終了した時点でスムーズに、ランド／グルーブトラッキング極性をそのままにして、トラッキング動作（即ち、トラッキングエラー信号の更新等）を再開させる。【０１７６】
次に、外周側から内周側へ向けて記録層１３への記録又は再生（即ち、復路記録又は復路再生）の際における、基本動作について図１３及び図１４を参照して説明する。【０１７７】
図１３において、第１特定領域の前後において、略同半径にランド／グルーブ（シングルスパイラル）切り替え部分を兼ねる。後に詳述する情報記録再生装置では、その記録動作時又は再生動作時に、第１特定領域内の開始ＳＹＮＣエリアＳＹＲ１を検出することで、その後に第１切替エリアＳＷＲ１のタイミングを計ることができる。【０１７８】
この第１切替エリアＳＷＲ１では、情報記録再生装置は、トラッキング動作を行い、１トラック分だけ内周側へトレースする。これにより、第１特定領域の前後でランドからランド、または、グルーブからグルーブへと第１切替エリアＳＷＲ１が終了した時点においてもスムーズに、トラッキング動作が行われる。【０１７９】
図１４において、第２特定領域の前後において、ランド／グルーブ（シングルスパイラル）は略同半径（そのまま）に位置し、後に詳述する情報記録再生装置では、その記録動作時又は再生動作時に、第２特定領域内の開始ＳＹＮＣエリアＳＹＲ２を検出することで、その後に第２切替エリアＳＷＲ２のタイミングを計ることができる。【０１８０】
情報記録再生装置は、第２切替エリアＳＷＲ２が開始する時点で、ランド／グルーブトラッキング極性の切り替えを行う。その後、この第２切替エリアＳＷＲ２では、トラッキング動作を行い、１トラック内周へトレースする。第２切替エリアＳＷＲ２が終了した時点でスムーズに、トラッキング動作を行う。【０１８１】
以上説明したように、図１〜図１４に示した実施例では、シングルスパイラルのトラックを採用しつつ、トラックジャンプすること無しに、内周側から外周側及び外周側から内周側への連続記録再生が可能となる。また、略連続サーボが実現できるため、偏芯等の外乱にも耐性が高い。因みに、トラックジャンプしながらの記録層１３へ記録しようとすれば、トラックジャンプ整定期間中の記録データ信頼性が低くなる。
＜情報記録媒体の製造方法の実施例＞
次に、図１５から図１８を参照して、本発明に係る情報記録媒体の製造方法の実施例について説明する。図１５は、本実施例における、光ディスクの原盤を製造する製造装置を示す。図１６は、この製造装置により第１特定領域が形成される様子を示し、図１７は、この製造装置により第２特定領域が形成される一の様子を示し、図１８の製造装置により第２特定領域が形成される他の様子を示す。【０１８２】
図１５において、製造装置は、原盤としての光ディスク１１に、ランド、グルーブ等をカッティングするレーザ光を照射するためのレーザ光源１０２ａ、ＥＯ変調器１０２ｂ、ＡＯ偏向器１０２ｃ及び可動部１０２ｄと、光ディスク１１（その原盤）を回転させるスピンドルモータ１０４と、可動部１０２ｄを光ディスク１１（その原盤）の面に沿って縦横に移動させる送りモータ６０１とを備える。【０１８３】
製造装置は、更に、ＥＯ変調器１０２ｂに対して、ＥＯ変調制御用の制御信号を発生する、ランド、グルーブ、ＬＰＰ（ランドプリピット）、ＧＮ（グルーブノッチ）の発生器６０２と、ＡＯ偏向制御用の制御信号を発生する、ウォブルグルーブ、ウォブルランドの発生器６０４とを備える。【０１８４】
なお、原盤としての光ディスク１１については、製造工程によっては、記録層１３が存在していないガイド層１２のみの原盤として製造されてもよい。【０１８５】
図１５において、フォトレジストが積層された光ディスク１１（その原盤）は、スピンドルモータ１０４により、適切な回転数で回転させられる。【０１８６】
レーザ光源１０２ａから出射されたレーザ光は、コントローラ６００の制御下で発生器６０２により発生された制御信号が、ＥＯ変調器１０２ｂの制御端子（即ち、オン／オフ制御端子）に入力される。ＥＯ変調器１０２ｂにより、レーザ光源１０２ａからのレーザ光のオン／オフが制御される。【０１８７】
これに並行して或いは相前後して、コントローラ６００の制御下で発生器６０４により発生された偏光制御信号が、ＡＯ偏向器１０２ｃの制御端子（即ち、変調制御端子）に入力される。ＡＯ偏向器１０２ｃにより、光ディスク１１（その原盤）の半径方向に対し所定の周期、所定の振幅にて偏向されたレーザ光が、ＡＯ偏向器１０２ｃから出射される。この出射光が、可動部１０２ｄ内にて、折り返しミラー等を介して、対物レンズ等により、光ディスク１１（その原盤）のフォトレジスト層に集光される。【０１８８】
可動部１０２ｄは、送りモータ６０１と、図示しない送りギア等とによって、ガイド層に対応するガラス板の半径方向に移動する。【０１８９】
ここで、発生器６０２は、ランド／ＧＮ領域では、Ｏｆｆ（オフ）信号、グルーブ／ＬＰＰ領域ではＯｎ（オン）信号を出力し、各状態での出射パワーがディスク再生時に最適となるように適宜最適化されている。ＬＰＰを既存の（例えば、特許第４１３６２８０号のような）曲げＬＰＰ構成で作成する場合は、発生器６０２においては、制御対象とせず、発生器６０４により制御すればよい。【０１９０】
図１６及び図１７に示すように、発生器６０４は、第１特定領域ＳＲ１及び第２特定領域ＳＲ２において所定振幅になるように偏向する。【０１９１】
図１６において、第１特定領域ＳＲ１の直前が、グルーブＧの場合、第１切替エリアＳＷＲ１においては、第１切替エリアＳＷＲ１の前半部分を、発生器６０２はグルーブＧとして制御する。この際、発生器６０４は、トラックピッチの１／２だけ内周側へずれるように制御する。その後、第１切替エリアＳＷＲ１の後半部分は、発生器６０２は、ランドＬとして制御する。この際、発生器６０４は、元の半径位置にあるトラックへトレースするように偏光を制御し、これにより、第１特定領域ＳＲ１の終了時に、ランドトラックを生成すべく制御する。【０１９２】
図１６において、第１特定領域ＳＲ１の直前が、ランドＬの場合、第１切替エリアＳＷＲ１においては、第１切替エリアＳＷＲ１の前半部分を、発生器６０２はランドＬとして制御する。この際、発生器６０４は、トラックピッチの１／２だけ外周側へずれるように制御する。その後、第１切替エリアＳＷＲ１の後半部分は、発生器６０２は、グルーブＧとして制御する。この際、発生器６０４は、元の半径位置にあるトラックへトレースするように偏光を制御し、これにより、第１特定領域ＳＲ１の終了時に、グルーブトラックを生成すべく制御する。【０１９３】
図１７において、第２特定領域ＳＲ２の直前が、グルーブＧの場合、第２切替エリアＳＷＲ２においては、第２切替エリアＳＷＲ２の前半部分を、発生器６０２はランドＬとして制御する。この際、発生器６０４は、トラックピッチの１／２だけ外周側へずれるように制御する。その後、第２切替エリアＳＷＲ２の後半部分は、発生器６０２は、グルーブＧとして制御する。この際、発生器６０４は、元の半径位置にあるトラックへトレースするように偏光を制御し、これにより、第２特定領域ＳＲ２の終了時に、グルーブトラックを生成すべく制御する。【０１９４】
図１７において、第２特定領域ＳＲ２の直前が、ランドＬの場合、第２切替エリアＳＷＲ２においては、第２切替エリアＳＷＲ２の前半部分を、発生器６０２はグルーブＧとして制御する。この際、発生器６０４は、トラックピッチの１／２だけ内周側へずれるように制御する。その後、第２切替エリアＳＷＲ２の後半部分は、発生器６０２は、ランドＬとして制御する。この際、発生器６０４は、元の半径位置にあるトラックへトレースするように偏光を制御し、これにより、第２特定領域ＳＲ２の終了時に、ランドトラックを生成すべく制御する。【０１９５】
図１８に示すように、図１７に示した第２切替エリアＳＷＲ２トラックと主要エリアトラックとの対応は、逆でもよい。【０１９６】
即ち図１８においては、第２特定領域ＳＲ２の直前が、ランドＬの場合、第２切替エリアＳＷＲ２においては、第２切替エリアＳＷＲ２の前半部分を、発生器６０２はランドＬとして制御する。この際、発生器６０４は、トラックピッチの１／２だけ外周側へずれるように制御する。その後、第２切替エリアＳＷＲ２の後半部分は、発生器６０２は、グルーブＧとして制御する。この際、発生器６０４は、元の半径位置にあるトラックへトレースするように偏光を制御し、これにより、第２特定領域ＳＲ２の終了時に、ランドトラックを生成すべく制御する。【０１９７】
図１８において、第２特定領域ＳＲ２の直前が、グルーブＧの場合、第２切替エリアＳＷＲ２においては、第２切替エリアＳＷＲ２の前半部分を、発生器６０２はグルーブＧとして制御する。この際、発生器６０４は、トラックピッチの１／２だけ内周側へずれるように制御する。その後、第２切替エリアＳＷＲ２の後半部分は、発生器６０２は、ランドＬとして制御する。この際、発生器６０４は、元の半径位置にあるトラックへトレースするように偏光を制御し、これにより、第２特定領域ＳＲ２の終了時に、グルーブトラックを生成すべく制御する。【０１９８】
図１５〜図１８を参照して説明したように、発生器６０２及び発生器６０４を制御することで、内周側から外周側へ向かう記録方向（例えば往路記録方向）と、外周側から内周側へ向かう記録方向（例えば復路記録方向）とを、単一のガイド層１２で、実現することが可能となる。また、このようなランド／グルーブトラックのカッティングを、光ディスク１１（その原盤）における内周側から外周側への、一度のカッティングで行うことが可能であるため、製造コストを低くできる。しかも、図１５に示したように、製造装置では、１ビームカッティングにより、製造するので、既存の製造装置に大きな変更を必要としないという実践上大きな利益も得られる。
＜情報記録再生装置及び方法の実施例＞
次に、図１９から図２３を参照して、本発明に係る情報記録再生装置及び方法の実施例について説明する。【０１９９】
図１９において、記録再生装置１０１は、本発明に係る「情報記録装置」及び「情報再生装置」の一例たるディスクドライブとして構成されており、ホストコンピュータ２０１と接続されている。【０２００】
記録再生装置１０１は、光ピックアップ１０２、信号記録再生部１０３、スピンドルモータ１０４、バス１０６、ＣＰＵ（ドライブ制御部）１１１、メモリ１１２、及びデータ入出力制御部１１３を備える。記録時には、光ピックアップ１０２が有する対物レンズ１０２Ｌ（図２参照）を介して、第１ビームＬＢ１及び第２ビームＬＢ２が照射され、再生時には、同じく対物レンズ１０２Ｌを介して、記録層データ再生用第２ビームＬＢ２のみ、又は、第１ビームＬＢ１及び第２ビームＬＢ２の両方が照射されるように構成されている。【０２０１】
ホストコンピュータ２０１は、操作／表示制御部２０２、操作ボタン２０３、表示パネル２０４、バス２０６、ＣＰＵ２１１、メモリ２１２、及びデータ入出力制御部２１３を備えて構成される。記録時には、記録すべきデータが、データ入出力制御部２１３から入力され、再生時には、再生されたデータが、データ入出力制御部２１３から出力されるように構成されている。【０２０２】
光ピックアップ１０２は、第１ビームＬＢ１を発する赤色半導体レーザと、第２ビームＬＢ２を発する青色半導体レーザと、対物レンズ１０２Ｌを含む、プリズム、ミラー等から構成される合成分離光学系とを備える。光ピックアップ１０２は、共通の対物レンズ１０２Ｌを介して、第１ビームＬＢ１及び第２ビームＬＢ２を同軸的に且つ異なるフォーカスにて（図１及び図２参照）照射するように構成されている。【０２０３】
更に、光ピックアップ１０２は、第１ビームＬＢ１に起因する光ディスク１１からの反射光を、対物レンズ１０２Ｌを介して受光する、二分割或いは四分割のＣＣＤ等の受光素子と、第２ビームＬＢ２に起因する光ディスク１１からの反射光を、対物レンズ１０２Ｌを介して受光する、二分割或いは四分割のＣＣＤ等の受光素子とを含んで構成される。光ピックアップ１０２は、第２ビームＬＢ２を、記録時に相対的に高強度の記録用強度で変調可能であり、再生時に相対的に低強度の再生用強度に設定可能に構成されている。【０２０４】
光ピックアップ１０２及び信号記録再生部１０３は、少なくとも記録時に、ガイド層１２からの反射光を受光する受光素子からの受光信号により、例えばプッシュプル法又は位相差法（ＤＰＤ）で、トラッキングエラー信号を生成し、更に、プリピット信号或いはアドレス情報を再生可能に構成されている。【０２０５】
光ピックアップ１０２及び信号記録再生部１０３は、再生時に、記録層１３からの反射光を受光する受光素子からの受光信号により、例えばプッシュプル法又は位相差法でトラッキングエラー信号を生成し、例えば全光量に対応する信号としてデータ信号を生成するように構成されている。【０２０６】
或いは、光ピックアップ１０２及び信号記録再生部１０３は、再生時に、ガイド層１２からの反射光を受光する受光素子からの受光信号により、トラッキングエラー信号を生成し、記録層１３からの反射光を受光する受光素子からの受光信号により、データ信号を生成するように構成されている。【０２０７】
なお本実施例では、信号記録再生部１０３は、記録用同期クロックを生成可能に、更に記録用のタイミング生成を実行可能に構成されている。【０２０８】
メモリ１１２及びメモリ２１２は、(i)記録再生装置１０１におけるＣＰＵ１１１等の各要素、及びホストコンピュータ２０１におけるＣＰＵ２１１等の各要素を、次に説明する記録再生動作が行われるように制御するためのコンピュータプログラム、並びに(ii)記録再生動作に必要な、制御データ、処理中データ、処理済みデータなどの各種データを、バス１０６、バス２０６等を介して一時的又は恒久的に保持するのに適宜用いられる。【０２０９】
以下、図１９に加えて、図２０から図２３を参照して、本実施例の記録再生装置１０１の各構成要素における構成及び動作を、記録再生装置１０１の全体動作と共に説明する。ここに図２０は、情報記録再生装置１０１における、記録再生動作を示す。そのうち、図２１は、記録動作の一例の一部分を示し、図２２は、記録動作の一例の他の部分を示し、図２３は、再生動作の一例の詳細を示す。【０２１０】
図２０において、先ず、記録再生装置１０１に対し、ユーザによる手動又は機械動作により、上述した本実施例に係るフォーマットの光ディスク１１が装着される（ステップＳ１１）。【０２１１】
すると、ユーザによる表示パネル２０４を見ての操作ボタン２０３上での操作などに応じた動作開始コマンドが、ドライブ側の操作／表示制御部２０２及びＣＰＵ１１１、並びにホスト側のＣＰＵ２１１等により発生される。この動作開始コマンドを受けて、信号記録再生部１０３による制御下で、スピンドルモータ１０４による光ディスク１１の回転が開始される。これと相前後して、信号記録再生部１０３による制御下で、光ピックアップ１０２による光照射が開始される。更に、ガイド層１２に対する読取用サーボ系が動作される。即ち、第１ビームＬＢ１が照射され、ガイド層１２に集光されて、トラッキング動作が開始される（ステップＳ１２）。【０２１２】
なお、この動作開始コマンドを含めた各種コマンド、ユーザデータや制御データを含む各種データの受け渡しは、ホスト側のバス２０６及びデータ入出力制御部２１３、並びにドライブ側のバス１０６及びデータ入出力制御部１１３を介して行われる。【０２１３】
続いて、ガイド層１２上で、第１ビームＬＢ１によるトラックＴＲへの照射が続けられ、記録用同期クロック等の元になる信号、ウォブル信号及びプリピット信号（更に、これらの少なくとも一方からプッシュプル法又はＤＰＤ法で得られるトラッキングエラー信号）が検出される。更に、これらの信号の少なくとも一方として予め記録されたディスク管理情報が、ドライブ側のＣＰＵ１１１又はホスト側のＣＰＵ２１１等により取得される（ステップＳ１３）。【０２１４】
なお、ディスク管理情報は、ガイド層１２における、最内周側に位置するリードイン領域、ＴＯＣ（Ｔａｂｌｅ Ｏｆ Ｃｏｎｔｅｎｔ）領域などにまとめて、記録され読み出されてもよい。その内容は、既存のＤＶＤ、ＢＤディスク等におけるディスク管理情報に準拠したものでよい。管理情報については別途、記録層に特別に設けられたリードイン領域、ＴＯＣ領域などに予め若しくは別途先行して記録されており、これが本時点で又は任意の時点で読み出されてもよい。【０２１５】
次に、ドライブ側のＣＰＵ１１１又はホスト側のＣＰＵ２１１等により、要求されている動作が、データ記録であるか否かが判定される（ステップＳ１４）。ここで、データ記録である場合（ステップＳ１４：Ｙｅｓ）、新規なる光ディスク１１に対する記録処理が実行される（ステップＳ１５）。この記録処理については、後に詳述する（図２１、図２２参照）
他方、ステップＳ１４の判定にてデータ記録でない場合（ステップＳ１４：Ｎｏ）、又はステップＳ１５にて新規なる光ディスク１１に対する記録処理が完了された場合、ドライブ側のＣＰＵ１１１又はホスト側のＣＰＵ２１１等により、要求されている動作が、データ再生であるか否かが判定される（ステップＳ１６）。ここで、データ再生である場合（ステップＳ１６：Ｙｅｓ）、新規なる光ディスク１１に対する再生処理が実行される（ステップＳ１７）。この再生処理については、後に詳述する（図２３参照）。【０２１６】
ステップＳ１６の判定にてデータ再生でない場合（ステップＳ１６：Ｎｏ）、又はステップＳ１７にて新規なる光ディスク１１に対する再生処理が完了された場合、イジェクト（Ｅｊｅｃｔ）、即ちトレイの排出などが、操作ボタン２０３等を介して要求されているか否かが判定される（ステップＳ１８）。ここで、イジェクトが要求されていなければ（ステップＳ１８：Ｎｏ）、ステップＳ１４に戻って、再び、それ以降のステップが実行される。【０２１７】
他方、ステップＳ１８の判定にてイジェクトが要求されている場合に（ステップＳ１８：Ｙｅｓ）、イジェクト動作が実行され（ステップＳ１９）、光ディスク１１に対する一連の記録再生処理が完了する。【０２１８】
次に図２１及び図２２を参照して、新規の光ディスク１１に対する記録処理（図２０のステップＳ１５）の一例について、説明する。なお図２１及び図２２は、それら両者にて一つの或いは一連の記録処理を示しているフローチャートである。【０２１９】
図２１及び図２２において、記録処理が開始されると、先ず、ＣＰＵ１１１及び信号記録再生部１０３による制御下で、次に記録を開始すべき所望のアドレスは、往路記録用及び復路記録用のうちいずれのトラックにあるかが判定される（ステップＳ２０１）。【０２２０】
ステップＳ２０１の判定の結果、往路記録用のトラックにある場合には（ステップＳ２０１：往路）、図１３に示した如き開始ＳＹＮＣ領域ＳＹＲ１（Ｓｙｎｃ領域１）の検出がモニタリングされる（ステップＳ２１１）。【０２２１】
ここで開始ＳＹＮＣ領域ＳＹＲ１（Ｓｙｎｃ領域１）が検出されると（ステップＳ２１１：Ｙｅｓ）、トラッキングサーボがホールドされ、ランド／グルーブの切り替えが実行される（ステップＳ２１２）。【０２２２】
続いて、第１特定領域ＳＲ１（特定領域１）が終了したか否かが判定され（ステップＳ２１３）、終了していない限り（ステップＳ２１３：Ｎｏ）、ステップＳ２１２の処理が続けられる。【０２２３】
ステップＳ２１３の判定にて、終了が確認されると（ステップＳ２１３：Ｙｅｓ）、第２特定領域ＳＲ２（特定領域２）までに、次に記録を開始すべき所望の記録アドレスがあるか否かが判定される（ステップＳ２１４）。【０２２４】
ここで、次に記録を開始すべき所望の記録アドレスがある場合（ステップＳ２１４：Ｙｅｓ）、第１ビームＬＢ１にて所望の記録アドレスがサーチされ（ステップＳ２１５）、処理は、図２２のステップＳ３０１に進む。【０２２５】
図２２において、先ず、第２ビームＬＢ２にて、記録層１３（図１参照）上で、所望の記録層１３に対して、フォーカスサーボが掛けられる（ステップＳ３０１）。【０２２６】
続いて、第１ビームＬＢ１にて、第１特定領域ＳＲ１及び第２特定領域ＳＲ２で所定動作（即ち、図１３及び図１４に示したトラッキングサーボの局所的な制御を含む動作）を行いつつ、ガイド層１２上で、トラッキングサーボが掛けられる（ステップＳ３０２）。【０２２７】
このようにフォーカスサーボ及びトラッキングサーボが掛けられた状態で、第２ビームＬＢ２により所望の記録層１３への記録が開始され（ステップＳ３０３）、所定量の記録が終了したか否かがモニタリングされる（ステップＳ３０４）。【０２２８】
ここで、所定量の記録が終了すると（ステップＳ３０４：Ｙｅｓ）、管理情報を更新して（ステップＳ３０５）、一連の記録処理が完了する。管理情報は、複数の記録層１３の少なくとも一つに設けられたリードイン領域、ＴＯＣ領域などにまとめて記録されてよい。その位置は内周側であってもよいが外周側や途中であってもよいし、多少分散された形で記録されてもよい。これに加えて又は代えて、メモリ１１２、メモリ２１２等内に設けられており、光ディスク１１に紐付けられた管理情報が更新されてもよい。【０２２９】
再び図２１に戻り、ステップＳ２１４の判定の結果、第２特定領域ＳＲ２までに所望アドレスがない場合（ステップＳ２１４：Ｎｏ）、図１４に示した如き開始ＳＹＮＣ領域ＳＹＲ２（Ｓｙｎｃ領域２）の検出がモニタリングされる（ステップＳ２１６）。【０２３０】
ここで開始ＳＹＮＣ領域ＳＹＲ２（Ｓｙｎｃ領域２）が検出されると（ステップＳ２１６：Ｙｅｓ）、トラッキングサーボがホールドされる（ステップＳ２１７）。【０２３１】
続いて、第２特定領域ＳＲ２（特定領域２）が終了したか否かが判定され（ステップＳ２１８）、終了していない限り（ステップＳ２１８：Ｎｏ）、ステップＳ２１７の処理が続けられる。【０２３２】
ステップＳ２１８の判定にて、終了が確認されると（ステップＳ２１８：Ｙｅｓ）、第１特定領域ＳＲ１（特定領域１）までに、次に記録を開始すべき所望の記録アドレスがあるか否かが判定される（ステップＳ２１９）。【０２３３】
ここで、次に記録を開始すべき所望の記録アドレスがある場合（ステップＳ２１９：Ｙｅｓ）、第１ビームＬＢ１にて所望の記録アドレスがサーチされ（ステップＳ２２０）、処理は、図２２のステップＳ３０１に進む。【０２３４】
他方で、次に記録を開始すべき所望の記録アドレスがない場合（ステップＳ２１９：Ｎｏ）、トラックジャンプが実行された後（ステップＳ２４１）、ステップＳ２１１からの一連の処理が繰り返される。【０２３５】
ステップＳ２０１の判定の結果、復路記録用のトラックにある場合には（ステップＳ２０１：復路）、図１３に示した如き開始ＳＹＮＣ領域ＳＹＲ１（Ｓｙｎｃ領域１）の検出がモニタリングされる（ステップＳ２２１）。【０２３６】
ここで開始ＳＹＮＣ領域ＳＹＲ１（Ｓｙｎｃ領域１）が検出されると（ステップＳ２２１：Ｙｅｓ）、トラッキングサーボが実行される（ステップＳ２２２）。【０２３７】
続いて、第１特定領域ＳＲ１（特定領域１）が終了したか否かが判定され（ステップＳ２２３）、終了していない限り（ステップＳ２２３：Ｎｏ）、ステップＳ２２２の処理が続けられる。【０２３８】
ステップＳ２２３の判定にて、終了が確認されると（ステップＳ２２３：Ｙｅｓ）、第２特定領域ＳＲ２（特定領域２）までに、次に記録を開始すべき所望の記録アドレスがあるか否かが判定される（ステップＳ２２４）。【０２３９】
ここで、次に記録を開始すべき所望の記録アドレスがある場合（ステップＳ２２４：Ｙｅｓ）、第１ビームＬＢ１にて所望の記録アドレスがサーチされ（ステップＳ２２５）、処理は、図２２のステップＳ３０１に進む。【０２４０】
他方、ステップＳ２２４の判定の結果、第２特定領域ＳＲ２までに所望アドレスがない場合（ステップＳ２２４：Ｎｏ）、図１４に示した如き開始ＳＹＮＣ領域ＳＹＲ２（Ｓｙｎｃ領域２）の検出がモニタリングされる（ステップＳ２２６）。【０２４１】
ここで開始ＳＹＮＣ領域ＳＹＲ２（Ｓｙｎｃ領域２）が検出されると（ステップＳ２２６：Ｙｅｓ）、トラッキングサーボが実行され、ランド／グルーブの切り替えが実行される（ステップＳ２２７）。【０２４２】
続いて、第２特定領域ＳＲ２（特定領域２）が終了したか否かが判定され（ステップＳ２２８）、終了していない限り（ステップＳ２２８：Ｎｏ）、ステップＳ２２７の処理が続けられる。【０２４３】
ステップＳ２２８の判定にて、終了が確認されると（ステップＳ２２８：Ｙｅｓ）、第１特定領域ＳＲ１（特定領域１）までに、次に記録を開始すべき所望の記録アドレスがあるか否かが判定される（ステップＳ２２９）。【０２４４】
ここで、次に記録を開始すべき所望の記録アドレスがある場合（ステップＳ２２９：Ｙｅｓ）、第１ビームＬＢ１にて所望の記録アドレスがサーチされ（ステップＳ２３０）、処理は、図２２のステップＳ３０１に進む。【０２４５】
他方で、次に記録を開始すべき所望の記録アドレスがない場合（ステップＳ２２９：Ｎｏ）、トラックジャンプが実行された後（ステップＳ２５１）、ステップＳ２２１からの一連の処理が繰り返される。【０２４６】
以上により、新規の光ディスク１１に対する一連の記録処理（図２０のステップＳ１５）が完了する。【０２４７】
次に図２３を参照して、新規の光ディスク１１に対する再生処理（図２０のステップＳ１７）の一例について、説明する。この例は、再生処理時に第１ビームＬＢ１がトラッキング等のために、用いられない例である。即ち、この例では、記録処理時と異なり、第２ビームＬＢ２がトラッキング用にも用いられる。【０２４８】
図２３において、ＣＰＵ１１１及び信号記録再生部１０３による制御下で、光ピックアップ１０２によって、データを再生すべき所望の記録層１３へと、第２ビームＬＢ２のフォーカスサーボがかけられ、これと相前後して或いは並行して、第２ビームＬＢ２による記録済情報トラックへのトラッキングサーボがかけられる（ステップＳ３１）。【０２４９】
続いて、ＣＰＵ１１１等により、記録済情報トラック上における記録済のアドレス情報が取得される。このアドレス情報を参照することで、ＣＰＵ２１１等により、所望のデータの再生を開始すべきアドレスとして指定された、所望の再生アドレスがサーチされる。即ち、第２ビームＬＢ２がそのアドレス位置へと移動される（ステップＳ３２）。【０２５０】
続いて、光ピックアップ１０２によって、トラッキングサーボ及びフォーカスサーボが閉じられた状態で、第２ビームＬＢ２に起因する反射光を、対物レンズ１０２Ｌを介して受光することで、所望の記録層１３からのデータの再生が開始される（ステップＳ３３）。【０２５１】
続いて、ＣＰＵ１１１等により、所定量の再生が終了したか否かがモニタリングされる（ステップＳ３４）。ここで、再生が終了しない限り、記録層１３からのデータの再生が継続される（ステップ３４:Ｎｏ）。【０２５２】
ここで、再生が終了すると（ステップＳ３４：Ｙｅｓ）、新規の光ディスク１１に対する一連の記録処理（図２０のステップＳ１７）が完了する。【０２５３】
なお、新規の光ディスク１１に対する再生処理（図１４のステップＳ１７）の他の例として、記録処理時のみならず、再生処理時に第１ビームＬＢがトラッキング等のために用いられてもよい。【０２５４】
以上図１〜図２３を参照して説明したように、本実施例によれば、シングルスパイラルのランドグルーブ法で形成されたガイド層１２において、第１特定領域ＳＲ１及び第２特定領域ＳＲ２が夫々、半径方向の位相が略揃った領域に配置されているので、情報記録再生装置１０１による第１特定領域ＳＲ１及び第２特定領域ＳＲ２の検出が容易である。【０２５５】
開始ＳＹＮＣ領域ＳＹＲ１、開始ＳＹＮＣ領域ＳＹＲ２などの開始ＳＹＮＣ領域のパターンが、相異なるパターンとされているので、夫々の検出結果により、第１特定領域ＳＲ１及び第２特定領域ＳＲ２の各々の前後におけるランド／グルーブトラッキングの切り替えが容易である。【０２５６】
第１切替エリアＳＷＲ１、第２切替エリアＳＷＲ２などの切替エリアが設けられているので、記録層１３への記録方向が内周側から外周側への場合には、切替エリアにてトラッキングサーボをホールドすることで記録動作を簡単に実現でき、逆に、記録方向が外周側から内周側への場合には、切替エリアにてガイド層１２のトラックをトレースすることで記録動作を簡単に実現することができる。【０２５７】
第１特定領域ＳＲ１及び第２特定領域ＳＲ２の各々は、プリフォーマットを構成する最小単位と整数比の関係としたので、これらの特定領域各々の前後においても、各種タイミング信号を簡便に生成できる。よって、これらの特定領域各々内においての、記録開始タイミング、記録終了タイミングは、前後プリフォーマットからの補間により容易にして生成可能となる。【０２５８】
第１特定領域ＳＲ１及び第２特定領域ＳＲ２の各々内では、トラックジャンプを行わないことにしたので、これらの特定領域の各々内で行われるランドグルーブ切り替え又は記録方向による異なるトラッキング制御方法に関与することがなく、簡便な制御を実行可能となる。【０２５９】
このように、ガイド層１２を形成したことにより、記録層１３への記録方向が内周側から外周側及び外周側から内周側の双方を、１つのガイド層１２で実現でき、且つ、トラッキング制御は、略連続サーボとして制御することができる。これにより、サンプルサーボ方式に比べ、ロバスト性が向上する。
＜各種変形例＞
以下、実施例の各種変形例について図２４から図３５を参照して説明する。【０２６０】
図２４の変形例では、第１特定領域ＳＲ１及び第２特定領域ＳＲ２は夫々、ゾーンＣＡＶ或いはＣＡＶの如き形状とされている。これにより、第１特定領域ＳＲ１及び第２特定領域ＳＲ２以外のプリフォーマット領域である主要エリアについては、効果的或いは効率的に、ＣＬＶ配置とされている。【０２６１】
また、第１特定領域ＳＲ１及び第２特定領域ＳＲ２のトラック方向の長さは夫々、プリフォーマットの最小単位を基準として、決定されている。具体的には、第１特定領域ＳＲ１及び第２特定領域ＳＲ２の各々を、幾つかのゾーンに分け、そのゾーン内の最内周はプリフォーマットの最小単位の整数倍ｎ（ｎ＝１，２，，，）とし、ゾーン内の最外周はプリフォーマットの最小単位の整数倍（ｎ＋ｋ）（ｋ＝１，２，，，）として、トラック方向の長さが決定されている。【０２６２】
図２５の変形例では、第１特定領域ＳＲ１及び第２特定領域ＳＲ２のトラック方向の長さは夫々、所定の一定長とされている。このような領域形状を採用することで、第１特定領域ＳＲ１及び第２特定領域ＳＲ２以外のプリフォーマット領域である主要エリアについては、効果的（効率的）にＣＬＶ配置とされている。【０２６３】
また、第１特定領域ＳＲ１及び第２特定領域ＳＲ２のトラック方向の長さは夫々、プリフォーマットの最小単位を基準として、決定されている。具体的には、第１特定領域ＳＲ１及び第２特定領域ＳＲ２の各々の長さは、プリフォーマットの最小単位の整数倍ｎ（ｎ＝１，２，，，）とし、トラックピッチをＰとした時の１周のずれ量が２πＰとなるように、決定されている。この際、プリフォーマットの最小単位をＬとすると、第１特定領域ＳＲ１及び第２特定領域ＳＲ２のトラック方向の長さは夫々、ｎＬである。【０２６４】
特に、トラックｍ本（ｍ周回、但しｍは自然数）だけ半径方向に離れた所において、第１特定領域ＳＲ１及び第２特定領域ＳＲ２の各々の開始点がｋＬ（ｋ＝１，２，，）ずれたところで、開始点を図２５に示すように、最内周の開始位置にあわせるようにすることにより、略半径位置の揃った各特定領域により、各Ｓｙｎｃ領域等の検出が容易とされる。【０２６５】
図２６の変形例では、第１切替エリアＳＷＲ１（又は第２切替エリアＳＷＲ２）には、同一トラック上と内周側に隣接したトラックへ徐々に移動可能とする位置との間を行き来するグルーブまたはランドを形成する。即ち、矢印３００１で示した如きグルーブ領域から突入する場合や、矢印３００２で示した如きランド領域から突入する場合に、グルーブ又はランドの内周側への移行は、徐々に行われる（なお、図２６において、接線方向の縮尺は実際のものと異なり、半径方向の形状変化が図中では強調されている）。これにより、内周側から外周側、外周側から内周側の夫々の記録方向によらず、第１切替エリアＳＷＲ１（又は第２切替エリアＳＷＲ２）で各サンプルサーボ取得タイミングでトラッキングエラー信号を取得し、サンプルサーボ制御を行う。【０２６６】
即ち、内周から外周への記録方向において、サンプルサーボ制御を行うので、図１３における内周から外周への記録方向時の第１切替エリアＳＷＲ１（又は第２切替エリアＳＷＲ２）の動作となるトラッキングサーボをホールドする場合よりも、より精確な制御を行うことが可能であり、翻れば、第１切替エリアＳＷＲ１（又は第２切替エリアＳＷＲ２）のトラック方向の長さの制限が緩和することになる。具体的には、内周から外周トレース時のサンプルサーボ取得タイミングにおいて、第１切替エリアＳＷＲ１（又は第２切替エリアＳＷＲ２）でのトラッキングエラー信号は、略同一半径トラックをトレースした時に、'０'となるように制御される。また、外周から内周トレース時のサンプルサーボ取得タイミングにおいて、第１切替エリアＳＷＲ１（又は第２切替エリアＳＷＲ２）でのトラッキングエラー信号は、徐々に１トラック内周へトレースした時に、'０'となるように制御される。【０２６７】
因みに、上述の実施例の場合、内周側から外周側への記録方向では、トラッキングエラー信号をホールドする方法を用いているため、トラッキングエラー信号ホールドからの復帰時における偏心等の外乱に起因するトラック方向のズレが予期しないトラックへ移動するのを防ぐのが望ましい。これを防ぐ観点からは、上述の実施例の場合、第１切替エリアＳＷＲ１（又は第２切替エリアＳＷＲ２）の長さの上限値が決定される。【０２６８】
更に本変形例によれば、サンプルサーボ取得タイミングは、記録フォーマットのクロックを用いることなく、開始ＳＹＮＣ領域ＳＹＲ１（又は開始ＳＹＮＣ領域ＳＹＲ２）の固有パターンから生成することが可能である。【０２６９】
図２７の変形例では、第１切替エリアＳＷＲ１（又は第２切替エリアＳＷＲ２）には、同一トラック上に配置されたマーク（即ち、短いグルーブピット又はランドピットの連なり）と、内周側に隣接したトラックへ徐々に位置がズラされたマーク（即ち、短いグルーブピット又はランドピットの連なり）を形成する。即ち、矢印４００１で示した如きグルーブ領域から突入する場合や、矢印４００２で示した如きランド領域から突入する場合に、マークの内周側への移行は、徐々に行われる（なお、図２７において、接線方向の縮尺は実際のものと異なり、半径方向の形状変化が図中では強調されている）。これにより、内周側から外周側、外周側から内周側の夫々の記録方向によらず、第１切替エリアＳＷＲ１（又は第２切替エリアＳＷＲ２）で各サンプルサーボ取得タイミングでトラッキングエラー信号を取得し、サンプルサーボ制御を行う。【０２７０】
即ち、内周から外周への記録方向において、サンプルサーボ制御を行うので、図１３における内周から外周への記録方向時の第１切替エリアＳＷＲ１（又は第２切替エリアＳＷＲ２）の動作となるトラッキングサーボをホールドする場合よりも、より精確な制御を行うことが可能であり、翻れば、第１切替エリアＳＷＲ１（又は第２切替エリアＳＷＲ２）のトラック方向の長さの制限が緩和することになる。具体的には、内周から外周トレース時のサンプルサーボ取得タイミングにおいて、第１切替エリアＳＷＲ１（又は第２切替エリアＳＷＲ２）でのトラッキングエラー信号は、略同一半径トラックをトレースした時に、'０'となるように制御される。また、外周から内周トレース時のサンプルサーボ取得タイミングにおいて、第１切替エリアＳＷＲ１（又は第２切替エリアＳＷＲ２）でのトラッキングエラー信号は、徐々に１トラック内周へトレースした時に、'０'となるように制御される。【０２７１】
更に本変形例によれば、サンプルサーボ取得タイミングは、記録フォーマットのクロックを用いることなく、開始ＳＹＮＣ領域ＳＹＲ１（又は開始ＳＹＮＣ領域ＳＹＲ２）の固有パターンから生成することが可能である。【０２７２】
図２８に示すように、図２７の変形例の製造方法では、その第１切替エリアＳＷＲ１（又は第２切替エリアＳＷＲ２）において、図２８中最下段に示した如きグルーブトラックからの突入時には、光ビームはＡＯ偏向器により第１切替エリアＳＷＲ１（又は第２切替エリアＳＷＲ２）前半では、内周側へ徐々にスィングしながら、ＥＯ変調器による光ビームのオン／オフ制御が行われる。これらにより、元の半径位置上にあるマークとオポジットパスを行うために内周側へ徐々に変位するマークを生成する。第１切替エリアＳＷＲ１（又は第２切替エリアＳＷＲ２）後半では、元の半径位置上にあるマークのみ生成する。【０２７３】
これに対して、矢印４００３、４００４で示した如きランドトラックからの突入時には、第１切替エリアＳＷＲ１（又は第２切替エリアＳＷＲ２）前半は外周側に変位し、第１切替エリアＳＷＲ１（又は第２切替エリアＳＷＲ２）後半は元の半径位置上に徐々に変位するように、マークを配置する。【０２７４】
図２８に示した製造方法によれば、図２７の変形例に示したパターンを、図１５〜図１７で説明した製造装置を用いることにより、単一ビームによる単一パスで形成することができる。また、このパターン製造において、ランドトラックからの突入において、図２８中で、矢印４００３、４００４のようなどちらのスィングでマークを形成してもよい。【０２７５】
図２９の変形例では、第１切替エリアＳＷＲ１（又は第２切替エリアＳＷＲ２）には、内周側に隣接したトラックへ徐々に位置をずらしたマークが形成されている。即ち、矢印５００１で示した如きグルーブ領域から突入する場合や、矢印５００２で示した如きランド領域から突入する場合に、マークの内周側への移行は、第１切替エリアＳＷＲ１（又は第２切替エリアＳＷＲ２）においては、サンプルサーボ制御を行い、サンプルサーボ取得タイミングで、第１切替エリアＳＷＲ１（又は第２切替エリアＳＷＲ２）でのトラッキングエラー信号は、徐々に１トラック内周へトレースした時に、'０'となるように制御される（なお、図２７図２９において、接線方向の縮尺は実際のものと異なり、半径方向の形状変化が図中では強調されている）。【０２７６】
これにより、図１５〜図１７で説明した製造装置において、第１切替エリアＳＷＲ１（又は第２切替エリアＳＷＲ２）でのＥＯ変調器のオン／オフとＡＯ偏向器を用いた半径方向変位の制御において２本の連続グルーブを繋げる場合に、半径方向変位のずれ許容値が拡がる。また、サンプルサーボ取得タイミングは、記録フォーマットのクロックを用いることなく、開始ＳＹＮＣエリアＳＹＲ１（又は開始ＳＹＮＣエリアＳＹＲ２）の固有パターンから生成することが可能である。【０２７７】
図３０及び図３１の変形例では、第１及び第２特定領域内に、第１切替エリアＳＷＲ１（図３０参照）及び第２切替エリアＳＷＲ２（図３１参照）の各々の直後に、終了ＳＹＮＣエリアＳＹＲ３（図３０参照）及び終了ＳＹＮＣエリアＳＹＲ４（図３１参照）が配置されている。これらにより、第１及び第２特定領域が終了することが検出できる。よって、プリフォーマット領域再生準備を整えることが可能となる。また、ランド／グルーブ切り替えを、これらの終了ＳＹＮＣエリアＳＹＲ３（図３０参照）及び終了ＳＹＮＣエリアＳＹＲ４（図３１参照）において行うことも可能となる。【０２７８】
本実施例において、終了ＳＹＮＣエリアＳＹＲ３（図３０参照）及び終了ＳＹＮＣエリアＳＹＲ４（図３１参照）を、開始ＳＹＮＣエリアＳＹＲ１（図３０参照）及び開始ＳＹＮＣエリアＳＹＲ２（図３１参照）と相異なるパターンとする。これにより、第１及び第２特定領域の各々の開始と終了とを区別できる。【０２７９】
なお、終了ＳＹＮＣエリアＳＹＲ３（図３０参照）及び終了ＳＹＮＣエリアＳＹＲ４（図３１参照）は、特定領域終了検出を目的とすると同じパターンでもよい。或いは、これらは、相異なるパターンとしてもよく、この場合は、第１切替エリアＳＷＲ１（図３０参照）又は第２切替エリアＳＷＲ２（図３１参照）内にて、始めてトラッキングが整定した場合にも、次に到来する特定領域が第１特定領域であるのか又は第２特定領域であるのかが分かる。【０２８０】
図３２及び図３３の変形例では、開始ＳＹＮＣエリアＳＹＲ１及び終了ＳＹＮＣエリアＳＹＲ３（図３２参照）並びに開始ＳＹＮＣエリアＳＹＲ２及び終了ＳＹＮＣエリアＳＹＲ４（図３３参照）は、特定領域前後のグルーブトラック上にＳｙｎｃパターンを形成するだけでなく、ランドトラック上にもＳｙｎｃパターンを形成している。これらにより、上述の実施例より高いＳＮＲ（Ｓ／Ｎ比）にて、これらのＳＹＮＣエリアの検出が可能となる。【０２８１】
図３４の変形例では、第２特定領域ＳＲ２における第２切替エリアＳＷＲ２には、図示の通りに、前半分と後半分の位相を反転したグルーブが形成されている。これにより、記録層１３の記録方向が外周側から内周側へ向かう場合（即ち、第２切替エリアＳＷＲ２内で、トレースが行われる場合）、後半分にトレースする時点で、ランド／グルーブ切り替えをすることにより、第２特定領域ＳＲ２を通過後におけるプリフォーマット領域にスムースに移行することが可能となる。また、位相反転箇所には、トラッキング性能に悪影響を及ぼさない（即ち、トラッキングサーボの応答性能より十分に短い)程度に、ランド領域（隙間）があってもよい。【０２８２】
図３５の変形例では、第１特定領域ＳＲ１及び第２特定領域ＳＲ２を夫々、光ディスク１１の接線方向において一定長とすることにより、これらの域外の主要エリアである、プリフォーマット領域を効果的（効率的）にＣＬＶ配置することができる。また、プリフォーマットの最小単位を基準として、第１特定領域ＳＲ１及び第２特定領域ＳＲ２のトラックに沿った長さを決定する。具体的には、第１特定領域ＳＲ１及び第２特定領域ＳＲ２の各々において、半径方向に略一致した位置から開始し、プリフォーマットの最小単位の整数倍（ｎ）とする。【０２８３】
以上詳細に説明したように、本実施例及び変形例によれば、シングルスパイラルのトラックを採用しつつ、第１特定領域ＳＲ１及び第２特定領域ＳＲ２内でのトラッキングサーボを制御することで、トラックジャンプせずに、記録層１３の記録方向を内周側から外周側（即ち、往路記録）及び外周側から内周側（即ち、復路記録）の双方に対応可能となる。そのような作用効果を奏するガイド層１２の製造についても、シングルスパイラルのトラックを、１回の記録により形成可能であり、単純且つ容易であり、コスト的にも優れている。更に、第１特定領域ＳＲ１及び第２特定領域ＳＲ２は、径方向位置に応じて所定量（１グループ分）だけトラック方向にずれたら、所定量、その位置をシフトするようにしている。このため、第１特定領域ＳＲ１及び第２特定領域ＳＲ２は、ほぼ、ディスクの半径方向の所定位置となり、ランド／グルーブの利用効率がよくなる。【０２８４】
また、本発明は、請求の範囲及び明細書全体から読み取るこのできる発明の要旨又は思想に反しない範囲で適宜変更可能であり、そのような変更を伴う情報記録媒体及びその製造方法、情報記録装置及び方法、並びに情報再生装置及び方法もまた本発明の技術思想に含まれる。
【符号の説明】
【０２８５】
１１  光ディスク
１２  ガイド層
１３  記録層
ＴＲ  トラック
ＬＢ１  第１ビーム
ＬＢ２  第２ビーム
ＳＰ１  光スポット
ＳＲ１  第１特定領域
ＳＲ２  第２特定領域
ＳＷＲ１  第１切替エリア
ＳＷＲ２  第２切替エリア
ＳＹＲ１、ＳＹＲ２  開始ＳＹＮＣエリア
ＳＹＲ３、ＳＹＲ４  終了ＳＹＮＣエリア
１０２  光ピックアップ
１０２Ｌ  対物レンズ
１０１  記録再生装置
２０１  ホストコンピュータ
【図１】
2011158379.tif 000006
【図２】
2011158379.tif 000007
【図３】
2011158379.tif 000008
【図４】
2011158379.tif 000009
【図５】
2011158379.tif 000010
【図６】
2011158379.tif 000011
【図７】
2011158379.tif 000012
【図８】
2011158379.tif 000013
【図９】
2011158379.tif 000014
【図１０】
2011158379.tif 000015
【図１１】
2011158379.tif 000016
【図１２】
2011158379.tif 000017
【図１３】
2011158379.tif 000018
【図１４】
2011158379.tif 000019
【図１５】
2011158379.tif 000020
【図１６】
2011158379.tif 000021
【図１７】
2011158379.tif 000022
【図１８】
2011158379.tif 000023
【図１９】
2011158379.tif 000024
【図２０】
2011158379.tif 000025
【図２１】
2011158379.tif 000026
【図２２】
2011158379.tif 000027
【図２３】
2011158379.tif 000028
【図２４】
2011158379.tif 000029
【図２５】
2011158379.tif 000030
【図２６】
2011158379.tif 000031
【図２７】
2011158379.tif 000032
【図２８】
2011158379.tif 000033
【図２９】
2011158379.tif 000034
【図３０】
2011158379.tif 000035
【図３１】
2011158379.tif 000036
【図３２】
2011158379.tif 000037
【図３３】
2011158379.tif 000038
【図３４】
2011158379.tif 000039
【図３５】
2011158379.tif 000040
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
予めシングルスパイラルのトラックが形成されたガイド層と、
該ガイド層上に積層された複数の記録層と
を備え、
前記ガイド層は、（ｉ）前記トラックが周回を重ねる毎に外周側及び内周側の一方側へ所定ペースで変位するようにスパイラルされている主要エリア及び（ｉｉ）前記トラックが局所的に、トラック１周分だけ前記外周側及び前記内周側の他方側へ導くために前記所定ペースよりも急峻なペースで前記径方向に変位するように形成されている切替エリアを有し、
前記トラックは、ランド／グルーブ方式のランドトラック及びグルーブトラックを有し、
前記主要エリアには、前記ランドトラック及びグルーブトラックが周回毎に交互に存在しており、
前記切替エリアは、前記ランドトラックと前記グルーブトラックとが周回毎に前記切替エリアを介して前記トラックとして連続している第１切替エリアと、前記ランドトラックと前記ランドトラックとが一の周回で前記切替エリアを介して前記トラックとして連続していると共に前記グルーブトラックと前記グルーブトラックとが前記一の周回に隣接する他の周回で前記切替エリアを介して前記トラックとして連続している第２切替エリアとを含む
ことを特徴とする情報記録媒体。
【請求項２】
前記切替エリアは、前記ガイド層の面内において同一位相側の領域にまとまって配置されていることを特徴とする請求項１に記載の情報記録媒体。
【請求項３】
（削除）
【請求項４】
前記第１切替エリアは、前記ガイド層の面内において一の同一位相側の領域にまとまって配置されており、
前記第２切替エリアは、前記ガイド層の面内において前記一の同一位相に対向する他の同一位相側の領域にまとまって配置されている
ことを特徴とする請求項１に記載の情報記録媒体。
【請求項５】
前記ガイド層は、記録方向を基準として前記切替エリアの前側に配置されており、前記切替エリアが次に開始する旨を示す開始告知エリアを更に備える
ことを特徴とする請求項１に記載の情報記録媒体。
【請求項６】
前記切替エリアは、グルーブ構造、ランド構造又はピット構造を有することを特徴とする請求項１に記載の情報記録媒体。
【請求項７】
前記ガイド層は、記録方向を基準として前記切替エリアの後側に配置されており、前記切替エリアが終了した旨を示す終了告知エリアを更に備える
ことを特徴とする請求項１に記載の情報記録媒体。
【請求項８】
前記切替エリアは、前記切替エリアの前記トラック方向の長さと、前記複数の記録層に夫々記録されることになるデータのフォーマットの構成単位の前記トラック方向の長さとが、所定の整数比となるように、形成されていることを特徴とする請求項１に記載の情報記録媒体。
【請求項９】
前記主要エリアには、記録方向が前記一方側へ向う第１アドレス情報及び前記他方側へ向う第２アドレス情報が、プリフォーマット情報として埋め込まれている
ことを特徴とする請求項１に記載の情報記録媒体。
【請求項１０】
予めシングルスパイラルのトラックが形成されたガイド層と、該ガイド層上に積層された複数の記録層とを備え、前記ガイド層は、（ｉ）前記トラックが周回を重ねる毎に外周側及び内周側の一方側へ所定ペースで変位するようにスパイラルされている主要エリア及び（ｉｉ）前記トラックが局所的に、トラック１周分だけ前記外周側及び前記内周側の他方側へ導くために、前記所定ペースよりも急峻なペースで前記径方向に変位するように形成されている切替エリアを有し、前記トラックは、ランド／グルーブ方式のランドトラック及びグルーブトラックを有し、前記主要エリアには、前記ランドトラック及びグルーブトラックが周回毎に交互に存在しており、前記切替エリアは、前記ランドトラックと前記グルーブトラックとが周回毎に前記切替エリアを介して前記トラックとして連続している第１切替エリアと、前記ランドトラックと前記ランドトラックとが一の周回で前記切替エリアを介して前記トラックとして連続していると共に前記グルーブトラックと前記グルーブトラックとが前記一の周回に隣接する他の周回で前記切替エリアを介して前記トラックとして連続している第２切替エリアとを含む情報記録媒体を製造する製造方法であって、
前記主要エリアに対して、ＥＯ変調するようにＥＯ変調器を制御することで、前記トラックを形成する第１制御工程と、
前記第１切替エリア及び前記第２切替エリア各々に対して、前記トラックのピッチの±１／２で変位させるＡＯ偏向を行うようにＡＯ偏向器を制御すると共にＥＯ変調するようにＥＯ変調器を制御することで、前記トラックを形成する第２制御工程と
を備えることを特徴とする情報記録媒体の製造方法。
【請求項１１】
予めシングルスパイラルのトラックが形成されたガイド層と、該ガイド層上に積層された複数の記録層とを備え、前記ガイド層は、（ｉ）前記トラックが周回を重ねる毎に外周側及び内周側の一方側へ所定ペースで変位するようにスパイラルされている主要エリア及び（ｉｉ）前記トラックが局所的に、トラック１周分だけ前記外周側及び前記内周側の他方側へ導くために、前記所定ペースよりも急峻なペースで前記径方向に変位するように形成されている切替エリアを有する情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、
前記トラッキングサーボがかけられている際に、前記一の記録層に前記第２光ビームを照射し且つ集光することで、前記データを記録するように前記光照射手段を制御するデータ記録制御手段と
を備え、
前記トラッキングサーボ手段は、
前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報記録装置。
【請求項１２】
予めシングルスパイラルのトラックが形成されたガイド層と、該ガイド層上に積層された複数の記録層とを備え、前記ガイド層は、（ｉ）前記トラックが周回を重ねる毎に外周側及び内周側の一方側へ所定ペースで変位するようにスパイラルされている主要エリア及び（ｉｉ）前記トラックが局所的に、トラック１周分だけ前記外周側及び前記内周側の他方側へ導くために、前記所定ペースよりも急峻なペースで前記径方向に変位するように形成されている切替エリアを有する情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、
前記トラッキングサーボがかけられている際に、前記一の記録層に前記第２光ビームを照射し且つ集光することで、前記データを記録するように前記光照射手段を制御するデータ記録制御工程と
を備え、
前記トラッキングサーボ工程は、
前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報記録方法。
【請求項１３】
予めシングルスパイラルのトラックが形成されたガイド層と、該ガイド層上に積層された複数の記録層とを備え、前記ガイド層は、（ｉ）前記トラックが周回を重ねる毎に外周側及び内周側の一方側へ所定ペースで変位するようにスパイラルされている主要エリア及び（ｉｉ）前記トラックが局所的に、トラック１周分だけ前記外周側及び前記内周側の他方側へ導くために、前記所定ペースよりも急峻なペースで前記径方向に変位するように形成されている切替エリアを有する情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、
前記トラッキングサーボがかけられている際に、前記一の記録層からの前記照射され且つ集光された第２光ビームに基づく第２光を受光し、該受光された第２光に基づき前記データを取得するデータ取得手段と
を備え、
前記トラッキングサーボ手段は、
前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報再生装置。
【請求項１４】
予めシングルスパイラルのトラックが形成されたガイド層と、該ガイド層上に積層された複数の記録層とを備え、前記ガイド層は、（ｉ）前記トラックが周回を重ねる毎に外周側及び内周側の一方側へ所定ペースで変位するようにスパイラルされている主要エリア及び（ｉｉ）前記トラックが局所的に、１周分だけ前記外周側及び前記内周側の他方側へ導くために、前記所定ペースよりも急峻なペースで前記径方向に変位するように形成されている切替エリアを有する情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、
前記トラッキングサーボがかけられている際に、前記一の記録層からの前記照射され且つ集光された第２光ビームに基づく第２光を受光し、該受光された第２光に基づき前記データを取得するデータ取得工程と
を備え、
前記トラッキングサーボ工程は、
前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報再生方法。
【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
予めシングルスパイラルのトラックが形成されたガイド層と、
該ガイド層上に積層された複数の記録層と
を備え、
前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために前記所定ペースよりも急峻なペースで前記径方向に変位するように形成されている切替エリアを有し、
前記トラックは、ランド／グルーブ方式のランドトラック及びグルーブトラックを有し、
前記主要エリアには、前記ランドトラック及びグルーブトラックが周回毎に交互に存在しており、
前記切替エリアは、前記ランドトラックと前記グルーブトラックとが周回毎に前記切替エリアを介して前記トラックとして連続している第１切替エリアと、前記ランドトラックと前記ランドトラックとが一の周回で前記切替エリアを介して前記トラックとして連続していると共に前記グルーブトラックと前記グルーブトラックとが前記一の周回に隣接する他の周回で前記切替エリアを介して前記トラックとして連続している第２切替エリアとを含む
ことを特徴とする情報記録媒体。
【請求項２】
前記第１切替エリア及び前記第２切替エリアの少なくとも一方は、前記ガイド層の面内において同一位相側の領域にまとまって配置されていることを特徴とする請求項１に記載の情報記録媒体。
【請求項３】
前記第１切替エリアは、前記ガイド層の面内において一の同一位相側の領域にまとまって配置されており、
前記第２切替エリアは、前記ガイド層の面内において前記一の同一位相に対向する他の同一位相側の領域にまとまって配置されている
ことを特徴とする請求項１に記載の情報記録媒体。
【請求項４】
前記ガイド層は、記録方向を基準として前記切替エリアの前側に配置されており、前記切替エリアが次に開始する旨を示す開始告知エリアを更に備える
ことを特徴とする請求項１に記載の情報記録媒体。
【請求項５】
前記切替エリアは、グルーブ構造、ランド構造又はピット構造を有することを特徴とする請求項１に記載の情報記録媒体。
【請求項６】
前記ガイド層は、記録方向を基準として前記切替エリアの後側に配置されており、前記切替エリアが終了した旨を示す終了告知エリアを更に備える
ことを特徴とする請求項１に記載の情報記録媒体。
【請求項７】
前記切替エリアは、前記切替エリアの前記トラック方向の長さと、前記複数の記録層に夫々記録されることになるデータのフォーマットの構成単位の前記トラック方向の長さとが、所定の整数比となるように、形成されていることを特徴とする請求項１に記載の情報記録媒体。
【請求項８】
前記主要エリアには、記録方向が前記一方側へ向う第１アドレス情報及び前記他方側へ向う第２アドレス情報が、プリフォーマット情報として埋め込まれている
ことを特徴とする請求項１に記載の情報記録媒体。
【請求項９】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有し、前記トラックは、ランド／グルーブ方式のランドトラック及びグルーブトラックを有し、前記主要エリアには、前記ランドトラック及びグルーブトラックが周回毎に交互に存在しており、前記切替エリアは、前記ランドトラックと前記グルーブトラックとが周回毎に前記切替エリアを介して前記トラックとして連続している第１切替エリアと、前記ランドトラックと前記ランドトラックとが一の周回で前記切替エリアを介して前記トラックとして連続していると共に前記グルーブトラックと前記グルーブトラックとが前記一の周回に隣接する他の周回で前記切替エリアを介して前記トラックとして連続している第２切替エリアとを含む報記録媒体を製造する製造方法であって、
前記主要エリアに対して、ＥＯ変調するようにＥＯ変調器を制御することで、前記トラックを形成する第１制御工程と、
前記第１切替エリア及び前記第２切替エリア各々に対して、前記トラックのピッチの±１／２で変位させるＡＯ偏向を行うようにＡＯ偏向器を制御すると共にＥＯ変調するようにＥＯ変調器を制御することで、前記トラックを形成する第２制御工程と
を備えることを特徴とする情報記録媒体の製造方法。
【請求項１０】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、
前記トラッキングサーボがかけられている際に、前記一の記録層に前記第２光ビームを照射し且つ集光することで、前記データを記録するように前記光照射手段を制御するデータ記録制御手段と
を備え、
前記トラッキングサーボ手段は、
前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報記録装置。
【請求項１１】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、
前記トラッキングサーボがかけられている際に、前記一の記録層に前記第２光ビームを照射し且つ集光することで、前記データを記録するように前記光照射手段を制御するデータ記録制御工程と
を備え、
前記トラッキングサーボ工程は、
前記一方側へ向けて記録を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて記録を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報記録方法。
【請求項１２】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、トラック１周分だけ前記外周側及び前記内周側の他方側へ導くために、前記所定ペースよりも急峻なペースで前記径方向に変位するように形成されている切替エリアを有する情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ手段と、
前記トラッキングサーボがかけられている際に、前記一の記録層からの前記照射され且つ集光された第２光ビームに基づく第２光を受光し、該受光された第２光に基づき前記データを取得するデータ取得手段と
を備え、
前記トラッキングサーボ手段は、
前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報再生装置。
【請求項１３】
予めシングルスパイラルのトラックが形成されたガイド層と、該ガイド層上に積層された複数の記録層とを備え、前記ガイド層は、(i)前記トラックが周回を重ねる毎に外周側及び内周側の一方側へ所定ペースで変位するようにスパイラルされている主要エリア及び（ii）前記トラックが局所的に、１周分だけ前記外周側及び前記内周側の他方側へ導くために、前記所定ペースよりも急峻なペースで前記径方向に変位するように形成されている切替エリアを有する情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記トラックに対してトラッキングサーボをかけるように前記光照射手段を制御するトラッキングサーボ工程と、
前記トラッキングサーボがかけられている際に、前記一の記録層からの前記照射され且つ集光された第２光ビームに基づく第２光を受光し、該受光された第２光に基づき前記データを取得するデータ取得工程と
を備え、
前記トラッキングサーボ工程は、
前記一方側へ向けて再生を行う場合、前記主要エリアでは、前記第１光ビームの読取位置が前記トラックを追従するように前記光照射手段を制御すると共に、前記切替エリアでは、前記切替エリア前後の前記主要エリアにおいて、同一半径位置に対応するトラック上に位置するように前記光照射手段を制御し、
前記他方側へ向けて再生を行う場合、前記主要エリアでは、前記第１光ビームの読取位置が前記トラックを追従するように前記光照射手段を制御すると共に、前記切替エリアでは、前記トラック１周分だけ前記内周側及び外周側の他方側へ導かれるように前記光照射手段を制御する
ことを特徴とする情報再生方法。
【国際調査報告】
2011158379.tif 000041
2011158379.tif 000042
2011158379.tif 000043
2011158379.tif 000044